(57)【要約】【解決手段】入力される電源が電子機器または他のコンセントに供給されるか遮断されるようにするスイッチ部と、連結された電子機器の種類または組合せによって電源遮断のための負荷感知値と電源が遮断されるまでの遅延時間とが可変設定されるように操作される設定スイッチと、電子機器または他のコンセントに電源が供給されるように動作信号が入力される信号入力部と、電子機器または他のコンセントの動作状態に応じた負荷信号を感知して入力する負荷電流感知部と、信号入力部から動作信号が入力された場合には、電子機器または他のコンセントに電源が供給されるようにし、負荷電流感知部から入力される負荷信号に基づいて、電子機器または他のコンセントに供給される電源が自動遮断されるようにスイッチ部の動作を制御する制御部とを含んで構成されるコンセントが提供される。【選択図】図４
2009507340.tif 000002
【特許請求の範囲】
【請求項１】
入力される電源が電子機器または他のコンセントに供給されるか遮断されるようにするスイッチ部と；
連結された電子機器の種類または組合せによって、電源遮断のための負荷感知値と、電源が遮断されるまでの遅延時間とが可変設定されるように操作される設定スイッチと；
前記電子機器または他のコンセントに電源が供給されるように動作信号が入力される信号入力部と；
前記電子機器または他のコンセントの動作状態に応じた負荷信号を感知して入力する負荷電流感知部と；
前記信号入力部から動作信号が入力された場合には、前記電子機器または他のコンセントに電源が供給されるようにし、前記負荷電流感知部から入力される負荷信号に基づいて、前記電子機器または他のコンセントに供給される電源が自動遮断されるように前記スイッチ部の動作を制御する制御部と；
を含んで構成されることを特徴とする、コンセント。
【請求項２】
前記負荷電流感知部は、前記電子機器または他のコンセントに供給される電源の負荷電流を感知する電流感知部と；
前記電流感知部から入力される交流電源に含まれる過電圧を除去する過電圧除去部と；
前記過電圧除去部から出力される交流電源をリップル電圧に変換する変換部と；
前記変換されたリップル電圧を平滑して直流の負荷信号を前記制御部に入力させる平滑部と；
前記負荷電流の変化を迅速に認識する放電部と；
を含んで構成されることを特徴とする、請求項１記載のコンセント。
【請求項３】
前記過電圧除去部は、１つ以上のダイオードと、キャパシタと、抵抗とを含み、
第１ダイオードおよび第２ダイオードは相互逆方向に直列連結され、前記キャパシタは前記第１ダイオードおよび第２ダイオードに並列連結されるように構成され、
前記制御部の負荷信号の判断における認識誤差を減少させるため、前記電流感知部から入力される電源に含まれるノイズまたは瞬間過電圧を除去することを特徴とする、請求項２記載のコンセント。
【請求項４】
前記過電圧除去部は、前記第１ダイオードおよび第２ダイオードがツェナーダイオードで構成され、前記第１ダイオードおよび第２ダイオードがマイクロ秒以下で発生させる瞬間過電圧を吸収除去し、前記抵抗およびキャパシタが０．１ミリ秒単位で発生させる瞬間過電圧を吸収除去することを特徴とする、請求項３記載のコンセント。
【請求項５】
前記変換部は、第３ダイオードと、電圧値を調節する可変抵抗とを含んで構成され、前記第３ダイオードは陽極が前記過電圧除去部に連結され、陰極が前記可変抵抗に連結されるゲルマニウムダイオードであることを特徴とする、請求項２記載のコンセント。
【請求項６】
前記平滑部は、少なくとも１つのキャパシタを含んでリップル電圧を平滑することを特徴とする、請求項２記載のコンセント。
【請求項７】
前記放電部は、少なくとも１つの抵抗を含むことを特徴とする、請求項２記載のコンセント。
【請求項８】
前記スイッチ部の出力端および前記電源出力端に連結される少なくとも１つのキャパシタを含み、前記連結された電子機器または他のコンセントから入力されるノイズを吸収および除去するノイズ除去部をさらに含むことを特徴とする、請求項１記載のコンセント。
【請求項９】
前記設定スイッチは、タイマー設定可能なことを特徴とする、請求項１記載のコンセント。
【請求項１０】
前記スイッチ部は、入力される電源が印加される電源入力端と、前記挿入口に連結された電子機器または他のコンセントに電源が出力される電源出力端との間に連結され、前記電子機器または他のコンセントに電源が供給されるか遮断されるように一極および二極のうち、少なくともいずれか１つをスイッチングすることを特徴とする、請求項１記載のコンセント。
【請求項１１】
前記スイッチ部によって電源が遮断されたとき、前記制御部に動作電源を供給するバッテリをさらに含むことを特徴とする、請求項１０記載のコンセント。
【請求項１２】
前記制御部は、備えられる学習設定部が操作される場合、前記信号入力部を通じて入力される信号を格納し、格納された動作信号について認識可能に設定し、前記信号入力部を通じて前記格納された動作信号が入力された場合には、前記電子機器または他のコンセントに電源を供給することを特徴とする、請求項１記載のコンセント。
【請求項１３】
前記制御部は、前記信号入力部から印加される入力信号が所定時間以上入力される場合、連結された前記電子機器または他のコンセントによって消費される待機電力が一定時間測定されるように前記負荷電流感知部を制御し、測定された待機電力の大きさに対応して、電源遮断のための負荷感知値と、電源が遮断されるまでの遅延時間とを自動設定することを特徴とする、請求項１記載のコンセント。
【請求項１４】
前記制御部は、前記設定スイッチの設定および前記自動設定された負荷感知値のうち、少なくともいずれか１つによって、前記負荷電流感知部から入力される負荷信号が負荷感知値以下である場合、設定された遅延時間の経過後、前記電子機器に供給される電源を自動遮断することを特徴とする、請求項１または請求項１３記載のコンセント。
【請求項１５】
動作信号認識のためのデータが格納され、前記自動設定された負荷感知値と、電源が遮断されるまでの遅延時間とが格納されるメモリと；
前記メモリに任意に設定格納されたデータをバックアップ格納するバックアップメモリと；
をさらに含むことを特徴とする、請求項１２または請求項１３記載のコンセント。
【請求項１６】
電子機器または他のコンセントのプラグが挿入される少なくとも１つ以上の挿入口と；
電源を供給または遮断するための負荷値を認識し、前記挿入口を通じて連結された電子機器に電源が供給または自動遮断されるようにする節電回路部と；
前記節電回路部の誤動作時、前記電子機器または他のコンセントに電源が直接供給されるように変更する転換スイッチと；
前記節電回路部を通じて前記電子機器または他のコンセントに電源を供給するとき、連結ジャッキの装着状態によって、前記電子機器または他のコンセントに電源が直接供給されるか、前記節電回路部を通じて電源が供給されるようにするジャッキ連結部と；
を含んで構成されることを特徴とする、埋め立て型コンセント。
【請求項１７】
前記節電回路部は、前記挿入口を通じて連結された前記電子機器または他のコンセントに電源が供給または遮断されるように一極および二極のうち、少なくともいずれか１つの極をスイッチングするスイッチ部と；
前記電子機器または他のコンセントに電源が供給されるように動作信号が入力される有線または無線の信号入力部と；
前記電子機器または他のコンセントに供給される電源から前記電子機器または他のコンセントの動作状態に応じた負荷信号を感知する負荷電流感知部と；
前記信号入力部の入力信号によって電源が供給されるようにし、前記負荷電流感知部の負荷信号によって、電源を供給するかまたは自動遮断されるように前記スイッチ部の動作を制御する制御部と；
を含んで構成されることを特徴とする、請求項１６記載の埋め立て型コンセント。
【請求項１８】
連結された電子機器または他のコンセントに供給される電源の遮断のための負荷感知値と電源が遮断されるまでの遅延時間を設定する設定スイッチをさらに含むことを特徴とする、請求項１６記載の埋め立て型コンセント。
【請求項１９】
入力される電源に含まれるデータを受信し、読み取り可能に変換し、前記制御部に印加する電力線通信部およびＲＦ信号を受信し、読み取り可能に変換して前記制御部に印加するＲＦ通信部のうち、少なくともいずれか１つの通信部をさらに含むことを特徴とする、請求項１７記載の埋め立て型コンセント。
【請求項２０】
前記制御部は、前記ＲＦ通信部および電力線通信部のうち、少なくともいずれかから入力されるデータを読み取り、前記電子機器または他のコンセントに電源が供給または遮断されるように前記スイッチ部の動作を制御することを特徴とする、請求項１９記載の埋め立て型コンセント。
【請求項２１】
前記信号入力部は、リード線で連結され、赤外線信号を受信して前記制御部に動作信号を入力する赤外線モジュールと、押し操作に基づいて電源の供給に対する動作信号が入力されるようにするボタンのうち、いずれか１つを含むことを特徴とする、請求項１７記載の埋め立て型コンセント。
【請求項２２】
前記信号入力部は、前記ジャッキ連結部に挿入可能な連結ジャッキを含み、前記ジャッキ連結部に脱着可能なことを特徴とする、請求項２１記載の埋め立て型コンセント。
【請求項２３】
前記制御部は、前記ジャッキ連結部の装着状態を感知し、前記信号入力部が前記ジャッキ連結部に装着されている場合には、前記節電回路部を通じて前記電子機器または他のコンセントに電源が供給されるか自動遮断されるように制御し、未装着時には、前記電子機器または他のコンセントに電源が直接供給されるように制御することを特徴とする、請求項２２記載の埋め立て型コンセント。
【請求項２４】
前記挿入口は、前記節電回路部が連結される節電型挿入口および常に電源用挿入口が少なくとも１つ備えられ、前記電源用挿入口と、前記節電型挿入口は、色相、柄および模様のうち、少なくとも１つが異なることを特徴とする、請求項１６記載の埋め立て型コンセント。
【請求項２５】
連結された電子機器または他のコンセントに対する負荷値を認識し、前記連結された電子機器または他のコンセントに電源が供給または自動遮断されるようにする節電回路部を含むメインコンセントと；
受信される赤外線形式の動作信号を所定の通信方式による動作信号に変換し、前記メインコンセントに動作信号を送信および入力する信号中継器と；
を含むことを特徴とする、無線信号を用いた埋め立て型コンセント。
【請求項２６】
前記信号中継器は、赤外線信号を受信する赤外線受信部と；
ＲＦ無線通信、電力線通信、近距離通信のうち、少なくともいずれか１つの通信方式によってデータを送受信する通信部と；
前記赤外線受信部から入力される赤外線形式の動作信号をＲＦ無線通信、電力線通信、近距離通信のうち、少なくともいずれか１つの通信方式による動作信号に変換して前記通信部に印加する信号変換部と；
受動操作されて動作信号を印加する受動スイッチと；
前記赤外線受信部および受動スイッチのうち、少なくともいずれか１つによる動作信号の入出力および前記信号変換部の動作を制御する中継器制御部と；
を含むことを特徴とする、請求項２５記載の無線信号を用いた埋め立て型コンセント。
【請求項２７】
前記メインコンセントは、前記信号中継器からＲＦ無線通信、電力線通信、近距離通信のうち、少なくともいずれか１つの通信方式による動作信号を受信する通信部と；
前記節電回路部と；
を含み、
前記節電回路部は、前記通信部を通じて受信された動作信号によって、連結された電子機器または他のコンセントに電源が供給されるようにし、前記連結された電子機器または他のコンセントの動作状態に応じた負荷信号を感知し、電源が供給または自動遮断されるように制御することを特徴とする、請求項２５記載の埋め立て型コンセント。
【請求項２８】
電子機器または他のコンセントのプラグが挿入される少なくとも１つの挿入口が形成されたコンセントアセンブリと；
供給される電源を前記挿入口に連結された電子機器または他のコンセントに供給するか、電源供給が自動遮断されるようにする節電回路部が組み付けられる基板と；
を含み、
前記基板は、前記コンセントアセンブリの背面に嵌合結合および締結結合のうち、少なくともいずれか１つで結合されることを特徴とする、埋め立て型コンセント。
【請求項２９】
前記コンセントアセンブリは、前記挿入口の上、下、左、右のうち、いずれか一側面にイヤジャッキ形態の連結ジャッキ挿入が可能な挿入孔を含むことを特徴とする、請求項２８記載の埋め立て型コンセント。
【請求項３０】
前記基板は、前記挿入口の背面に対面され、前記挿入口と連結される連結部材を含む第１基板と；
前記第１基板と連結され、前記挿入孔を貫通する連結ジャッキが挿入装着されるジャッキ連結部が備えられた第２基板と；
を含むことを特徴とする、請求項２９記載の埋め立て型コンセント。
【発明の詳細な説明】
【技術分野】
【０００１】
本発明は、コンセントに関するものであって、特に、連結された電子機器の種類または数量に関わらず、感知される負荷電流に対応して連結された電子機器に電源を供給するか、電源が自動遮断されるようにして、上記電子機器への待機電力を遮断するコンセントに関するものである。
【背景技術】
【０００２】
一般に、家庭でＴＶ、コンピュータ、電子レンジ、オーディオ等のように使用頻度が高い電子機器の場合、常にプラグがコンセントに差し込まれている状態で用いられ、長時間未使用時にもプラグが放置される場合が多い。
【０００３】
このとき、上記のような電子機器は、用いられない場合であっても一定容量の待機電力を消費し、それによる不要な電力消費が発生する。待機電力消費を防止するためには、プラグを抜いて電源が電子機器に供給されることを遮断しなければならない。しかしながら、電子機器のプラグを使用時ごとに抜き差しすることは、非常に煩わしい作業である。
【０００４】
よって、電子機器のプラグが連結されるコンセントから電子機器に電源を供給／遮断することができるスイッチが附着されたコンセントが多く用いられている。
【０００５】
しかしながら、従来のコンセントは、スイッチを操作することにおいて、使用者がコンセントの位置に毎回移動しなければならない不便があり、また、コンセントに１つ以上の電子機器が連結された場合には、外見上または安全上の理由でコンセントがよく見えない所に位置されることが一般的であるため、スイッチを操作することにおいて多くの不便がある。
【発明の開示】
【発明が解決しようとする課題】
【０００６】
本発明は、上記問題に鑑みてなされたものであり、本発明の目的とするところは、電子機器に供給される電源の負荷電流を感知して電子機器の動作状態を判断し、それによって電源が自動に供給または遮断されるようにし、壁面に埋め立てられる場合、電源スイッチを附着して上記コンセントの回路異常または故障時に常に電源が供給されるコンセントに変更できるようにし、電子機器の待機電力による電力消費を防止することにより、家庭消費電力の１０％以上を占めている待機電力の浪費を完全に遮断することができるコンセントを提供することにある。
【０００７】
また、本発明は、コンセント内の信号伝達および電源印加のために連結される電線が別途の溶接なく締結固定されるようすることから製品の分解／組立てが容易であり、それによる製品のＡ／Ｓまたは量産性が向上し、廃棄の際に分離収去が容易なコンセントを提供することにその目的がある。
【課題を解決するための手段】
【０００８】
上記の目的を達成するための本発明に係るコンセントは、入力される電源が電子機器または他のコンセントに供給されるか遮断されるようにするスイッチ部と、連結された電子機器の種類または組合によって電源遮断のための負荷感知値と、電源が遮断されるまでの遅延時間が可変設定されるように操作される設定スイッチと、上記電子機器または他のコンセントに電源が供給されるように動作信号が入力される信号入力部と、上記電子機器または他のコンセントの動作状態による負荷信号を感知して入力する負荷電流感知部と、上記信号入力部から動作信号の入力時に上記電子機器または他のコンセントに電源が供給されるようにし、上記負荷電流感知部から入力される負荷信号によって、上記電子機器または他のコンセントに供給される電源が自動遮断されるように上記スイッチ部の動作を制御する制御部とを含む。
【０００９】
本発明に係る埋め立て型コンセントは、電子機器または他のコンセントのプラグが挿入される少なくとも１つ以上の挿入口と、電源を遮断するための負荷値を認識し、上記挿入口を通じて連結された電子機器に電源が供給または自動遮断されるようにする節電回路部と、上記節電回路部の誤動作時に上記電子機器または他のコンセントに電源が直接供給されるように変更する転換スイッチ、上記節電回路部を通じて上記電子機器または他のコンセントに電源供給時、連結ジャッキの装着状態によって上記電子機器または他のコンセントに電源が直接供給されるか、上記節電回路部を通じて電源が供給されるようにするジャッキ連結部とを含む。
【００１０】
また、本発明に係る埋め立て型コンセントは、連結された電子機器または他のコンセントに対する負荷値を認識し、上記連結された電子機器または他のコンセントに電源が供給または自動遮断されるようにする節電回路部を含むメインコンセントと、受信される赤外線形式の動作信号を所定の通信方式による動作信号に変換して、上記メインコンセントに動作信号を送信および入力する信号中継器とを含む。
【００１１】
また、本発明に係る埋め立て型コンセントは、電子機器または他のコンセントのプラグが挿入される少なくとも１つの挿入口が形成されたコンセントアセンブリと、供給される電源を上記挿入口に連結された電子機器または他のコンセントに供給するか、電源供給が自動遮断されるようにする節電回路部が組み付けられる基板とを含み、上記基板は、上記コンセントアセンブリの背面に嵌合結合および締結結合のうち、少なくともいずれか１つで結合されることを特徴とする。
【発明の効果】
【００１２】
本発明に係るコンセントは、電子機器または他のコンセントに連結された電子機器が使用待機状態である場合、負荷電流を感知して電源が自動遮断されるようにし、全負荷感知値を可変設定することができ、特性の異なる電子機器の組合せ時にも負荷認識および制御が可能であり、待機電力として浪費される電力消費を防止し、エネルギー節約と多くの費用が節減される効果がある。
【００１３】
また、上記コンセントは、ネットワークに連結された電子機器についても必要時にのみ上記電子機器に電源が供給されるようにし、不要な待機電力の消費を防止することができ、ホームネットワークシステムの使用で大幅増加する待機電力の浪費を画期的に減少させることができるので、エネルギー節約に多くの効果がある。
【発明を実施するための最良の形態】
【００１４】
以下、添付の図を参照して本発明の実施形態を説明すると、次のとおりである。図１は、本発明の実施形態に係る外装型コンセントを示す斜視図であり、図２は、本発明の実施形態に係るコンセントの締結構造を示す斜視図である。
【００１５】
本発明の実施形態に係るコンセントは、図１および図２に示すように、他のコンセントに挿入されて電源が入力されるプラグＰＬと、電子機器または他のコンセントのプラグが挿入され、入力される電源が出力される挿入口ＣＰと、リード線で連結されて電子機器または他のコンセントに電源が供給されるように遠隔地でも信号入力が可能にする信号入力部７０と、連結された電子機器または他のコンセントに連結された多数の電子機器の動作状態による負荷感知値と遅延時間とを設定する設定スイッチ８０を含んで構成される。
【００１６】
また、コンセントは、信号入力部７０および設定スイッチ８０に連結され、プラグＰＬから入力される電源が電子機器または他のコンセントに供給または遮断されるようにする節電回路部（図示せず）が組みつけられる基板３と、プラグＰＬと節電回路部が連結されるようにし、節電回路部が挿入口ＣＰと連結されるようにする電線Ｌ１、Ｌ２、Ｌ３と、電線Ｌ１、Ｌ２、Ｌ３が基板３に締結固定されるようにする締結部材２−１、２−２、２−３を含んで構成される。
【００１７】
また、コンセントは、挿入口ＣＰに電子機器または他のコンセントのプラグが挿入されて連結される場合、節電回路部と連結されて電子機器または他のコンセントに電源が出力されるようにする導電端子（図示せず）を含んで構成される。
【００１８】
このとき、電線Ｌ１、Ｌ２、Ｌ３は両端のうち、少なくともいずれか１端に締結部１−１、１−２、１−３が形成され、締結部１−１、１−２、１−３はホールまたは溝が形成される。電線Ｌ１、Ｌ２、Ｌ３は、締結部１−１、１−２、１−３のホールまたは溝に貫通される締結部材２−１、２−２、２−３を通じて基板３に締結固定されて節電回路部と連結される。
【００１９】
締結部材２−１、２−２、２−３はプラグＰＬの端子ＰＬ’と、電線Ｌ１、Ｌ２、Ｌ３と、基板３が締結固定されるようにし、別途の溶接なくても連結可能にする。このとき、締結部材２−１、２−２、２−３、２−４、２−５としては、例えば、ねじ、またはボルトが用いられる。
【００２０】
よって、コンセントは、電線Ｌ１、Ｌ２、Ｌ３または導電端子６−１、６−２が別途の溶接なくねじまたはボルトで締結固定されて連結可能である。
【００２１】
コンセントの節電回路部について説明すると、次のとおりである。図３は、本発明の実施形態に係るコンセントの第１実施形態および第２実施形態の構成を簡略に示した説明図である。
【００２２】
図３（ａ）は、本発明の実施形態に係るコンセントの第１実施形態を示している。本発明の実施形態に係るコンセントの第１実施形態は、電源が供給される電源入力端１０に節電回路部が連結され、節電回路部のスイッチ部５０が連結され、電源出力端９０に連結された電子機器または他のコンセントに電源を供給または遮断する。このとき、スイッチ部５０は節電回路部に含まれ、節電回路部によって動作され、連結された電子機器または他のコンセントの負荷感知値によって電源が供給または遮断される。
【００２３】
図３（ｂ）は、本発明の実施形態に係るコンセントの第２実施形態を示している。本発明の実施形態に係るコンセントの第２実施形態は、電源が供給される電源入力端１０にスイッチ部５０が連結され、スイッチ部５０に節電回路部が連結され、電源出力端９０に連結された電子機器または他のコンセントへの電源を供給または遮断する。このとき、スイッチ部５０によって電源遮断時、節電回路部に供給される電源が遮断されるので、節電回路部の駆動のための動作電源を供給するバッテリーが別途に備えることができる。
【００２４】
上記のような本発明の実施形態に係るコンセントの第１実施形態および第２実施形態についてより詳しく説明すると、次のとおりである。図４は本発明の実施形態に係るコンセントの第１実施形態を示すブロック図であり、図５は本発明の実施形態に係るコンセントのノイズ除去部およびスイッチ部を示す図である。
【００２５】
コンセントは、図４に示すように、入力される電源が印加される電源入力端１０と、連結された電子機器または他のコンセントに出力される電源出力端９０と、電源入力端１０と、電源出力端９０に連結されて電子機器または他のコンセントに電源が供給されるか遮断されるようにスイッチングするスイッチ部５０と、電子機器または他のコンセントに電源が供給されるように動作信号が入力される信号入力部７０と、スイッチ部５０によって供給される電源から感知される負荷信号を入力する負荷電流感知部６０と、信号入力部７０から入力される動作信号または負荷電流感知部６０から入力される負荷信号によってスイッチ部５０が動作されるように制御する制御部３０を含んで構成される。
【００２６】
また、コンセントは、電源入力端１０から入力される電源を変換させて制御部３０に駆動電源を供給する電源部２０と、制御部３０の制御命令に従ってスイッチ部５０に電源を印加し、オン／オフ（ＯＮ／ＯＦＦ）されるようにする駆動回路部４０を含んで構成される。
【００２７】
このとき、コンセントは、負荷電流感知部６０から入力される負荷信号によって電源が自動に遮断されるようにする基準値である負荷感知値を設定し、電源遮断による遅延時間が可変設定されるように操作される設定スイッチ８０をさらに含んで構成される。
【００２８】
また、コンセントは、電源出力端９０から逆に入力されるノイズを吸収、除去するノイズ除去部１００と、節電回路部によって設定されるデータが格納されるメモリ１２０と、メモリ１２０に格納されたデータをバックアップ格納するバックアップメモリ１３０と、学習設定のための学習設定部１４０、電源の供給状態を表する状態ランプ（図示せず）を含む。
【００２９】
電源部２０は、電源入力端１０から印加される交流電源を直流電源に変換する直流電源部２１と、直流電源部２１によって変換された直流電源を安定化する電源安定化部２２を含んで構成される。このとき、電源部２０は、直流電源を制御部３０または駆動回路部４０に印加して節電回路部を動作可能にする。
【００３０】
信号入力部７０は、リード線で連結され、赤外線信号を受信する赤外線モジュールまたは押し操作されることによって信号を印加するボタンを含んで構成される。このとき、信号入力部７０は、受信される赤外線信号またはボタン入力によって、電子機器または他のコンセントに電源が供給されるように制御部３０に動作信号を入力する。
【００３１】
信号入力部７０は、赤外線モジュールが備えられる場合、赤外線モジュールが広い周波数領域の赤外線信号を受信することができるように設定されることによって、多数の電子機器または既使用中である電子機器のリモコンから送出される赤外線信号の受信を通じて制御部３０に動作信号を印加するようになる。また、信号入力部７０は学習設定された特定周波数の赤外線信号のみを受信することができるように設定可能であり、このとき、リモコンから設定された信号入力のみを認識し、制御部３０に動作信号を印加するようになる。すなわち、信号入力部７０は、別途のコンセント用リモコンが備えられなくても、使用中である多数の電子機器のリモコンを用いて信号入力が可能である。
【００３２】
駆動回路部４０は、制御部から印加される制御命令に応じてスイッチ部５０に電源が印加されるか、印加されないようにしてスイッチ部５０を動作させる。ここで、駆動回路部４０は、多数のダイオードと、トランジスタと、抵抗と、キャパシタを含んで構成され、制御部３０の制御命令に応じて電源部２０からスイッチ部５０に電圧が印加されるようにし、スイッチ部５０のオン／オフ（ＯＮ／ＯＦＦ）動作を可能とする。
【００３３】
このとき、スイッチ部５０は、駆動回路部４０によって供給される電源によってオン／オフスイッチングされるリレー以外にもトランジスターのようにスイッチング動作可能な素子を用いることができる。
【００３４】
メモリ１２０は、動作信号の認識のためのデータが格納され、制御部３０によって設定された負荷感知値と、電源が遮断されるまでの遅延時間とが格納される。また、バックアップメモリ１３０は、メモリ１２０に任意に設定格納されたデータをバックアップ格納する。
【００３５】
状態ランプは、節電回路部によって電子機器または他のコンセントに供給される電源の遮断状態に対応して点灯する。また、状態ランプは制御部３０によって制御され、信号入力部７０から印加される入力信号が所定時間以上入力される場合、点滅する。
【００３６】
ノイズ除去部１００は、図５に示すように、スイッチ部５０と、電源出力端９０との間に連結され、特に、電源出力端９０の両極に連結されるＡＣキャパシタＣ１０を含む。ノイズ除去部１００は、信号出力端９０を通じて連結された家電機器または他のコンセントから入力されるノイズを吸収および除去する。
【００３７】
負荷電流感知部６０は、スイッチ部５０がオン（ＯＮ）されることにより、電子機器または他のコンセントに電源が供給されると、供給される電源から負荷電流を感知し、電源に含まれる電源ノイズまたは過電圧を除去し、直流変換して制御部３０に電子機器または他のコンセントの動作状態を判断するための負荷信号を入力する。
【００３８】
制御部３０は、信号入力部７０から動作信号が入力されると、スイッチ部５０がオン（ＯＮ）されて電子機器または他のコンセントに電源が供給されるように制御命令を生成し、駆動回路部４０に印加する。また、制御部３０は、負荷電流感知部６０から入力される負荷信号によって電子機器または他のコンセントに連結された多数の電子機器の動作状態を判断し、供給される電源が自動供給または遮断されるように制御命令を生成して駆動回路部４０に印加する。
【００３９】
制御部３０は、所定周波数の動作信号を認識するために学習設定部１４０が操作されると、信号入力部７０を通じて入力される信号を格納し、格納された動作信号の認識が可能にする。このとき、制御部３０は、所定のボタンまたはディップスイッチで構成される学習設定部１４０が操作されると、信号入力部７０を通じて入力される動作信号の周波数をメモリ１２０に格納し、格納された周波数と同一の周波数の動作信号が入力されることを認識するようになる。すなわち、制御部３０は、信号入力部７０を通じて入力される動作信号中、設定された特定周波数の動作信号が入力される場合、電子機器または他のコンセントに電源が供給されるようにする。
【００４０】
一方、制御部３０は、信号入力部７０から印加される入力信号が所定時間以上入力される場合、連結された電子機器または他のコンセントによって消費される待機電力が一定時間測定されるように負荷電流感知部６０を制御する。このとき、制御部３０状態ランプが点滅されるように制御する。
【００４１】
制御部３０は、負荷電流感知部６０を通じて測定された待機電力の大きさに対応し、電源遮断のための負荷感知値と電源が遮断されるまでの遅延時間を自動設定する。すなわち、制御部３０は、設定スイッチによる別途の負荷値が設定されない場合、上記のように測定される待機電力の値によって、電源の自動遮断のための負荷感知値を設定する。制御部３０によって設定された負荷感知値と電源が遮断されるまでの遅延時間は、メモリ１２０に格納される。
【００４２】
制御部３０は、設定スイッチ８０の設定または待機電力感知を通じる自動設定によって、負荷電流感知部６０から入力される負荷信号を設定された負荷感知値と比較し、負荷信号が負荷感知値の以下である場合、電子機器または他のコンセントに連結された多数の電子機器の電源がオフ（ＯＦＦ）されて待機電力状態であると判断し、一定時間経過後、供給される電源が自動に遮断されるようにする。
【００４３】
このとき、制御部３０は、負荷電流感知部６０による負荷信号を判断し、設定された遅延時間経過後、スイッチ部５０の動作制御のための制御命令を生成して駆動回路部４０に伝達する。
【００４４】
図６は、本発明の実施形態に係るコンセントの負荷電流感知部の構成を示す回路図である。負荷電流感知部６０は、図６に示すように、一端Ｐ０１がスイッチ部５０と連結され、他端Ｐ０２が電源出力端９０と連結され、供給される電源から負荷電流を感知する電流感知部６１（Current  Sensor  Trans．）と、電流感知部６１から入力される交流電源に含まれる過電圧または過電流を除去する過電圧除去部６２と、過電圧除去部６２から出力される交流電源をリップル電圧（ripple  voltage）に変換する変換部６３と、リップル電圧を平滑して直流の負荷信号を制御部３０に印加する平滑部６４とを含んで構成される。また、負荷電流感知部６０は、少なくとも１つの抵抗Ｒ４を含んで電流感知部６１から感知される負荷電流が持続的に可変されるので、変化される負荷電流を迅速に認識できる放電部６５をさらに含んで構成される。
【００４５】
過電圧除去部６２は、平滑部６４を通じて直流の負荷信号が制御部３０に入力される場合、制御部３０による負荷信号の判断による認識誤差を減少させるために、電源に含まれるノイズまたは瞬間過電圧を吸収、除去する。このとき、過電圧除去部６２は、１つ以上のダイオードと、１つ以上のキャパシタと、１つ以上の抵抗を含んで構成される。
【００４６】
過電圧除去部６２は、第１ダイオードＺＤ１と、第２ダイオードＺＤ２が相互逆方向に直列連結され、第１キャパシタＣ１が第１および第２ダイオードＺＤ１、ＺＤ２に並列連結される。また、第１抵抗Ｒ１は第２ダイオードの陽極（Anode；アノード）と一端が連結され、他端は第１キャパシタＣ１に連結される。
【００４７】
ここで、第１ダイオードＺＤ１および第２ダイオードＺＤ２は、マイクロ秒（micro  sec）以下で瞬間的に発生される瞬間過電圧を吸収除去する。このとき、第１ダイオードＺＤ１および第２ダイオードＺＤ２は、約１８Ｖ以上の瞬間過電圧を除去することができ、例えば、ツェナーダイオードが用いられる。第１キャパシタＣ１および第１抵抗Ｒ１は、０．１ミリ秒（mm  sec）単位で発生される瞬間過電圧を吸収除去する。
【００４８】
ここで、電子機器の逆率は、電子機器の種類または製造社によって異なる値を示すようになり、異なる逆率を有する１つ以上の電子機器がコンセントに連結される場合、各電子機器の逆率差によって瞬間過電圧が発生されうる。
【００４９】
このとき、過電圧除去部６２は、逆率差で発生される瞬間過電圧を吸収除去することによって、多数の異なる電子機器が複合的に用いられる場合にも最小限の誤差範囲内で負荷電流値の認識が可能にする。
【００５０】
変換部６３は、ダイオードと、１つ以上の抵抗で構成され、過電圧除去部６２から出力される交流電源をリップル電圧に変換する。特に、変換部６３は、第３ダイオードＤ１と、抵抗値を可変設定して印加される電圧値の調節が可能な可変抵抗Ｒ２と、第３抵抗Ｒ３で構成される。第３ダイオードＤ１は、陽極（Anode；アノード）が過電圧除去部６２と連結され、陰極（Cathode；カソード）が可変抵抗Ｒ２に連結される。このとき、第３ダイオードＤ１は、例えば、他のダイオードに比して電圧降下が少なくて直線性の良いゲルマニウムダイオードが用いられる。
【００５１】
平滑部６４は、キャパシタＣ２の充方電特性を用いて変換部６３によってリップル変換された電源を平滑して直流の負荷信号を制御部３０に印加する。
【００５２】
よって、負荷電流感知部６０は、負荷電流を感知し、感知された負荷電流を安定する直流の負荷信号に変換して制御部３０に供給する。
【００５３】
本発明の実施形態に係るコンセントの節電回路部の第２実施形態を説明すると、次のとおりである。図７は、本発明の実施形態に係るコンセントの第２実施形態の構成を示すブロク図であり、図８は、本発明の実施形態に係るコンセントの第２実施形態のバッテリー連結構造を示す図である。
【００５４】
本発明の実施形態に係るコンセントの第２実施形態は、節電回路部が図７に示すように、電源入力端１０と、電源出力端９０と、スイッチ部５０と、信号入力部７０と、負荷電流感知部６０と、制御部３０と、電源部２０と、駆動回路部４０と、ノイズ除去部１００を含む。また、コンセントは源遮断時、除去部３０に電源を供給するバッテリー１１０と、メモリ１２０と、学習設定部１４０、状態ランプをさらに含む。
【００５５】
コンセントの第２実施形態に係る節電回路部は、上述したコンセントの第１実施形態と同一の構成につき、同一名称、同一符号が用いられ、それによる別途の説明は省略する。
【００５６】
スイッチ部５０は、電源入力端１０と、電源出力端９０との間に連結され、挿入口に連結された家電機器または他の電子機器に供給される電源を制御部３０の制御命令に応じて供給するか、自動遮断するようになる。このとき、スイッチ部５０は、電源入力端１０と、電源部２０との間に連結され、電子機器または他のコンセントに供給される電源が遮断されると、電源部２０に供給される電源も遮断させる。
【００５７】
バッテリー１１０は、図８に示すように、除去部３０の入力端子と出力端子の両端に連結され、スイッチ部５０によって電源遮断時、制御部３０に動作電源を供給する。また、バッテリー１１０は、メモリ１２０に任意格納されるデータの損失を防止させる。このとき、バッテリー１１０は、両端にダイオードとキャパシタが連結されて制御部３０に連結され、充填可能なバッテリーが用いられうる。
【００５８】
図９は、本発明の実施形態に係るコンセントの設定スイッチを示す回路図である。
【００５９】
上述したコンセントの第１実施形態および第２実施形態において、設定スイッチ８０は、図９に示すように操作されたスイッチの位置によって、電源が自動に遮断されるように負荷信号を比較判断するための負荷感知値と、電源が遮断されるまでの遅延時間を可変設定することができ、ディップスイッチ（Dip-Switch）が用いられる。
【００６０】
このとき、設定スイッチ８０は、コンセントに連結される電子機器または他のコンセントに連結された多数の電子機器の種類により使用者によって選択的に設定可能であり、設定によって負荷感知値と遅延時間とが決定される。また、設定スイッチ８０は、タイマー設定が可能である。例えば、別途の信号入力または判断がなくても一定時間経過後、電源が自動遮断されるように設定されうる。
【００６１】
設定スイッチ８０は、抵抗を通じて制御部３０に連結され、一端Ｐ０３が電源部２０と連結されて操作されたスイッチの位置によって、電源部２０から供給される電源がそれぞれ抵抗値の異なる第５抵抗Ｒ５と第６抵抗Ｒ６に印加される。よって、同一のスイッチの位置でも制御部３０に異なる信号を入力することができる。
【００６２】
例えば、設定スイッチ８０の第１スイッチＳＷ１がオン（ＯＮ）されると、電源部２０から第５抵抗Ｒ５に電圧が印加され、それによる第１設定信号が制御部３０に入力され、第２スイッチＳＷ２がオン（ＯＮ）されると、第６抵抗Ｒ６に電圧が印加され、第２設定信号が制御部３０に入力される。
【００６３】
以下、設定スイッチ８０を用いた負荷感知値の設定例は、次のとおりである。図１０は、本発明の実施形態に係るコンセントの設定スイッチの例を示す説明図である。
【００６４】
図１０に示すように、設定スイッチ８０は、第１スイッチＳＷ１がオン（ＯＮ）、第２スイッチＳＷ２がオフ（ＯＦＦ）に設定されると、電源の自動遮断のための基準値が負荷感知値の電力値が１０Ｗに設定される。また、設定スイッチ８０の第１および第２スイッチＳＷ１、ＳＷ２がオン（ＯＮ）に設定されると、待機電力遮断のための基準値が２０Ｗに設定される。
【００６５】
設定スイッチ８０の第１スイッチＳＷ１および第２スイッチＳＷ２がオフ（ＯＦＦ）に設定される場合には、待機電力遮断のための基準値が３０Ｗに設定され、設定スイッチ８０の第１スイッチＳＷ１がオフ（ＯＦＦ）され、第２スイッチＳＷ２がオン（ＯＮ）に設定される場合には４０Ｗに設定される。
【００６６】
このとき、上記のような数値は１つの例だけであり、連結される電子機器および他のコンセントの種類によって可変されうる。
【００６７】
コンセントは、設定スイッチ８０が操作されることによって、ＴＶのような電子機器の電源がオフ（ＯＦＦ）されて待機電力状態になると、負荷電流感知部６０によって感知され、入力される負荷信号によって制御部３０がＴＶと電子機器の動作状態を判断し、設定された負荷感知値によってＴＶと電子機器に供給される電源が自動遮断される。
【００６８】
ここで、設定スイッチ８０の第１スイッチＳＷ１および第２スイッチＳＷ２のオン／オフ（ＯＮ／ＯＦＦ）設定によって、待機電力状態または正常動作などの電子機器の動作状態を判断するための基準値、すなわち、負荷感知値が可変設定され、電源が自動に遮断されるまでの遅延時間も同様に可変設定されうる。
【００６９】
よって、コンセントは電子機器または他のコンセントが電源オフされ、待機電力状態である場合、負荷電流を感知し、電子機器または他のコンセントに連結された多数の電子機器の動作状態を判断し、一定時間経過後、供給される電源が自動に遮断される。
【００７０】
本発明の実施形態に係るコンセントに関する他の実施形態を、図を参照して説明すると、次のとおりである。図１１は、本発明の実施形態に係る埋め立て型コンセントおよび信号入力部の構成を示す斜視図である。
【００７１】
埋め立て型コンセント(以下、「コンセント」とよぶ場合もある。)は、建物屋内の壁に埋め立てられて設置されうる。
【００７２】
コンセントは、図１１（ａ）〜図１１（ｄ）に示すように、建物に埋め立てられる場合、１つ以上の電子機器または他のコンセントに連結可能な少なくとも１つ以上の挿入口ＣＰ０１〜ＣＰ０３が前面に備えられ、節電回路部が挿入部ＣＰ０１〜ＣＰ０３の背面に内蔵され連結された電子機器または他のコンセントへの電源を供給または遮断する。
【００７３】
このとき、コンセントは、挿入口ＣＰ０１〜ＣＰ０３が１つ以上備えられる場合、少なくとも１つ以上の挿入口が節電回路部と連結されるように設置される。
【００７４】
ここで、挿入口ＣＰ０１〜ＣＰ０３は、多数の挿入口が備えられる場合、節電回路部が連結される節電型挿入口が少なくとも１つ備えられ、また、常に電源用挿入口が少なくとも１つ備えられ、使用者によって選択的使用が可能となる。このとき、電源用挿入口と、節電型挿入口は、例えば、色相、柄および模様のうち、少なくとも１つを異なるようにし、電源用挿入口と節電型挿入口の分けが容易にする。
【００７５】
コンセントは、電源が節電回路部を通じて電子機器または他のコンセントに供給されるようにするか、節電回路部を通じずに直接に電子機器または他のコンセントに供給されるようにする転換する転換スイッチ１５０を含んで構成される。また、節電回路部を通じて電子機器または他のコンセントに電源供給するとき、連結ジャッキの装着状態によって、電子機器または他のコンセントに電源が直接供給されるか、節電回路部を通じて電源が供給されるようにするジャッキ連結部１６０をさらに含む。
【００７６】
また、コンセントは、節電回路部によって電子機器または他のコンセントに供給される電源の遮断状態に対応し、点灯される状態ランプ１７０をさらに含む。
【００７７】
このとき、ジャッキ連結部１６０は、図１１（ａ）および図１１（ｂ）に示すように、挿入口ＣＰ０１〜ＣＰ０３の上、下、左、右のうち、少なくともいずれか一側に備えられた挿入孔Ｈを貫通する連結ジャッキが挿入連結できるように構成される。
【００７８】
また、コンセントは、前面のケースに脱着され、リード線で連結されて遠隔地でもコンセントから連結された電子機器または他のコンセントに電源が供給されるように動作信号を印加する信号入力部７０と、連結される電子機器または他のコンセントによって負荷感知値と、遅延時間を設定する設定スイッチ８０を含んで構成される。
【００７９】
信号入力部７０は、押し操作によって動作信号を印加するボタンまたは受信される赤外線信号によって動作信号を印加する赤外線モジュールを含んで構成される。このとき、信号入力部７０は、ジャッキ連結部１６０に挿入可能な連結ジャッキを含み、ジャッキ連結部１６０に脱着できるように構成される。
【００８０】
ここで、信号入力部７０は、ジャッキ連結部１６０に連結ジャッキが挿入されて装着される場合、それによる装着信号が節電回路部に印加され、所定の動作信号が入力されるようになる。なお、信号入力部７０は、脱着可能な形態に限られず、コンセントに固定され所定の空間に受納可能な形態で構成されてもよい。
【００８１】
転換スイッチ１５０は、図１１（ｃ）に示すように、挿入口ＣＰ０１〜ＣＰ０３の上、下、左、右のうちいずれか一側に備えることができ、その位置は図に限定されない。このとき、転換スイッチ１５０はスイッチ部５０に含むことができる。また、コンセントは転換スイッチ１５０が前面に配置されるか、前面ケース脱着時、操作できるように内部に備えられうる。
【００８２】
特に、転換スイッチ１５０は、節電回路部の以上発生または故障時、節電回路部を通じなく、挿入口ＣＰ０１〜ＣＰ０３に連結された電子機器または他のコンセントに直接に電源が供給されるようにし、電源供給が可能なコンセントとして動作するように転換する。
【００８３】
図１２は、本発明の実施形態に係る埋め立て型コンセントの第１実施形態を示すブロック図である。
【００８４】
屋内壁に埋め立てられるコンセントは、図１２に示すように、電源入力端１０と、電源出力端９０と、上記設定スイッチ８０と、信号入力部７０と、スイッチ部５０と、駆動回路部４０と、負荷電流感知部６０と、制御部３０とを含んで構成される。また、ノイズ除去部１００と、メモリ１２０と、バックアップメモリ１３０と、学習設定部１４０と、転換スイッチ１５０と、ジャッキ連結部１６０と、状態ランプ１７０とをさらに含む。
【００８５】
本発明の実施形態に係る埋め立て型コンセントは、上述したコンセントの第１実施形態および第２実施形態と同一の構成について同一名称、同一符号が用いられ、それに関する詳細な説明は、下記では省略する。
【００８６】
また、コンセントは、信号入力部７０以外に所定の通信手段によってデータを送受信することにより、制御部３０に動作信号を印加する少なくとも１つの通信部が含まれる。
【００８７】
転換スイッチ１５０は、節電回路部に異常が発生したとき、直接に電子機器または他のコンセントに電源を供給させる役目を果たす。
【００８８】
このとき、制御部３０は、ジャッキ連結部１６０の装着状態を感知し、信号入力部７０がジャッキ連結部１６０に装着されているときには、節電回路部を通じて電子機器または他のコンセントに電源が供給されるか自動遮断されるように制御し、未装着時には、電子機器または他のコンセントに電源が直接供給されるように制御する。すなわち、制御部３０は、連結された電子機器またはコンセントに電源が供給される中で、ジャッキ連結部１６０の装着状態によって電源が供給されるか、または自動遮断されるようにする。
【００８９】
制御部３０は、電源の供給および遮断を制御する動作は上述した制御部３０と同様であるので、以下では、説明を省略する。
【００９０】
このとき、コンセントは入力される電源に含まれるデータを受信し、制御部３０によって読み取り可能に変換する電力線通信部（図示せず）をさらに含むことができる。また、コンセントは、所定帯域の周波数信号を通じる無線データ送受信が可能にするＲＦ通信部（図示せず）をさらに含むことができる。
【００９１】
電力線通信部は、コンセントに内蔵または外付けで備えられることができ、電源線を通じて伝送されるデータを感知して受信し、データを送出することができる。特に、電力線ネットワーク上に連結されたサーバから電源供給／遮断のデータが受信される場合、これを変換して制御部３０に印加する。ここで、制御部３０は、電力線通信部から入力されるデータを読み取って電源供給によるデータである場合、連結された電子機器に電源が供給／遮断されるようにスイッチ部５０の動作を制御する。
【００９２】
ＲＦ通信部は、受信されるＲＦ形式の無線信号を受信し、これを制御部３０によって読み取り可能に制御部３０に動作信号を印加する。ここで、制御部３０は、ＲＦ通信部から印加される動作信号によって常にスイッチ部５０を制御する。
【００９３】
ここで、転換スイッチ１５０の構成をより詳細に説明すると、次のとおりである。図１３は、本発明の実施形態に係る埋め立て型コンセントの転換スイッチ部およびノイズ除去部の構成を示す回路図である。
【００９４】
図１３に示すように、転換スイッチ１５０は、設定によって、電源入力端１０から入力される電源が節電回路部に印加されるようにするか、電源出力端９０に直接印加されるようにする。
【００９５】
ここで、転換スイッチ１５０はオン（ＯＮ）される場合、ＰＳ１１およびＰＳ１２端に連結され、節電回路部に電源が印加されるようにし、信号入力部７０および負荷電流感知部６０の入力によって電子機器または他のコンセントに電源が供給されるか、自動に遮断されるようにする。また、転換スイッチ１５０はオフ（ＯＦＦ）される場合、ＰＳ２１、ＰＳ２２端に連結され、電源が電源出力端９０に直接印加されるようにする。
【００９６】
電源が電源出力端９０に直接印加されるように転換スイッチ１５０が設定された場合、すなわち、オフ（ＯＦＦ）された場合には、節電回路部の動作要否と関わらず電源が電源出力端９０に直接印加される。
【００９７】
よって、本発明の実施形態に係るコンセントは、節電回路部に異常が発生したときには、電子機器または他のコンセントに電源が直接供給されるように転換可能であり、コンセントが節電機能を行うようにするか常に電源が供給されるように選択的使用が可能である。また、本発明の実施形態に係るコンセントは、ＲＦ通信部および電力線通信部のうち、少なくとも１つの通信部が備えられ、電源供給のデータが受信されると、連結された電子機器に電源を自動供給／遮断するなどの制御が可能である。
【００９８】
図１４は、本発明の実施形態に係る埋め立て型コンセントのジャッキ連結部の構成を示す構成図である。
【００９９】
このとき、ジャッキ連結部１６０は、図１４に示すように、イヤジャッキ（earjack）の連結が可能に構成され、イヤジャッキまたは連結ジャッキが備えられる信号入力部７０が挿入されて装着される場合、内部に備えられる信号端子間の接触によって信号を制御部３０に印加する。すなわち、ジャッキ連結部１６０は信号入力部７０未装着時、２−１と２端子とが接触され、１−１と１とが接触され、コンセントが常に電源用として用いられるように制御部３０によってスイッチ部５０に信号が印加され、信号入力部７０装着時、２−１と２端子との接触が解除され、１−１と１との接触が解除されて節電用コンセントとして使用可能となる。
【０１００】
図１５は、本発明の実施形態に係る埋め立て型コンセントの第２実施形態を示すブロック図である。
【０１０１】
図１５に示すように、埋め立て型コンセントの第２実施形態は電源入力端１０と、電源出力端９０と、設定スイッチ８０と、信号入力部７０と、スイッチ部５０と、駆動回路部４０と、負荷電流感知部６０と、制御部３０とを含んで構成される。また、ノイズ除去部１００と、バッテリー１１０と、メモリ１２０と、学習設定部１４０と、ジャッキ連結部１６０と、状態ランプ１７０とを含む。
【０１０２】
本発明の実施形態に係る埋め立て型コンセントでは、上述したコンセントの第１実施形態および第２実施形態と、埋め立て型コンセントの第１実施形態と同一の構成については同一名称、同一符号が用いる。よって、以下では、上記に関する詳細な説明は、省略する。
【０１０３】
ここで、スイッチ部５０は、電源入力端１０と、電源出力端９０との間に連結され、挿入口に連結された家電機器または他の電子機器に供給される電源を制御部３０の制御命令に応じて供給するか、自動遮断する。このとき、スイッチ部５０は、電源入力端１０および転換スイッチ１５０と電源部２０との間に連結され、電子機器または他のコンセントに供給される電源が遮断されると、電源部２０に供給される電源も遮断する。
【０１０４】
ここで、スイッチ部５０が電源入力端１０と電源部２０との間に連結される場合、バッテリー１１０は、電源入力端１０を通じて印加される電源によって充填され、スイッチ部５０によって電源遮断時、制御部３０に動作電源を供給する。また、バッテリー１１０は、メモリ１２０に任意に設定格納されるデータの損失を防止するようになる。
【０１０５】
図１６は、本発明の実施形態に係る埋め立て型コンセントの第３実施形態を示す構成図である。
【０１０６】
上述した埋め立て型コンセントは、図１６に示すように、例えば、家庭または所定建物の内壁に埋め立てられ、連結される電子機器の待機電力を遮断する。また、コンセントは、外部から信号が変換されて入力される信号中継器ＳＧＷが別途に備えていてもよい。
【０１０７】
このとき、コンセントは、少なくとも１つの通信方式によるデータ通信が可能に通信部が備えられ、これは前述した信号入力部７０のように、コンセント動作信号を入力するようになり、信号中計器ＳＧＷから受信される信号をコンセントＭＣ（以下、メインコンセント）に印加し、電源が供給されるか遮断されるようにする。
【０１０８】
コンセントＭＣと信号中計器ＳＧＷが所定の通信方式によって有線／無線で連結され、リモコンＲＣＭから入力される動作信号を信号中計器ＳＧＷが変換してコンセントに印加する。
【０１０９】
図１７は、本発明の実施形態に係る埋め立て型コンセントの第３実施形態のメインコンセント構成を示すブロック図であり、図１８は、本発明の実施形態に係る埋め立て型コンセントの第３実施形態の信号中計器の構成を示すブロック図である。
【０１１０】
メインコンセントＭＣは、図１７に示すように、制御部３０と少なくとも１つの通信方式によるデータ受信が可能にする通信モジュールを含む通信部７０が備えられる。このとき、通信部７０は、上述した信号入力部のように動作信号を制御部３０に印加するので、同一符号を用いた。
【０１１１】
ここで、メインコンセントＭＣは、節電回路部を含むが、上述したコンセントの実施形態と同一の構成については同一符号を用い、それに関する別途の説明は省略する。
【０１１２】
信号中計器ＳＧＷは、図１８に示すように、リモコンＲＭＣから送信される赤外線信号を受信する赤外線受信部３２０と、信号を変換する信号変換部３３０と、少なくとも１つの通信モジュールを含む通信部３４０、信号変換部３３０によって入出力される信号が異なる通信方式に変換されるように制御する中継器制御部３１０と、受動操作によって動作信号が入力される受動スイッチ３５０とを含む。
【０１１３】
このとき、信号中計器ＳＧＷおよびメインコンセントＭＣは、相互信号の送受信が可能に同一の通信モジュールが備えられる。上記のような多数の通信モジュール中、ＲＦ通信部と、電力線通信部とが備えられる場合を例として説明すると、次のとおりである。
【０１１４】
図１９は、本発明の実施形態に係る埋め立て型コンセントのＲＦ通信によるメインコンセントおよび信号中計器の構成を示す説明図であり、図２０は、本発明の実施形態に係る埋め立て型コンセントの電力線通信によるメインコンセントおよび信号中計器の構成を示す説明図である。
【０１１５】
図１９に示すように、メインコンセントＭＣおよび信号中計器ＳＧＷは、それぞれＲＦ通信部７１、３４１を含む。信号中計器ＳＧＷはリモコンから送出された信号を赤外線受信部３２０を通じて受信し、受信された信号は中継器制御部３１０によって信号変換部３３０に印加される。信号変換部３３０は、赤外線形式の信号をＲＦ無線信号に変換した後、所定周波数帯域へ送出する。このとき、メインコンセントＭＣは、備えられたＲＦ通信部を通じて信号中計器から送出されたデータを受信して制御部３０に印加し、動作信号が入力されるようにする。
【０１１６】
図２０に示すように、メインコンセントＭＣおよび信号中計器ＳＧＷに電力線通信部が備えられる場合には、信号中計器ＳＧＷは、リモコンＲＭＣから送出された信号を赤外線受信部３２０を通じて受信し、受信された信号は中継器制御部３１０によって信号変換部３３０に印加される。信号変換部３３０は赤外線形式の信号を電力線通信による信号に変換する。
【０１１７】
このとき、変換された信号は電力通信部を通じ、電源線ＰＬを通じてメインコンセントＭＣに印加される。メインコンセントＭＣは、電力線通信部が電源線ＰＬを通じて受信された信号を変換して制御部３０に印加することによって動作信号が入力されるようにする。
【０１１８】
図２１は、本発明の実施形態に係る埋め立て型コンセントの信号中計器の実施形態を示す説明図である。
【０１１９】
上記のように、電力線通信またはＲＦ無線通信を用いてメインコンセントＭＣと、信号中計器ＳＧＷとの間に信号が送受信される場合、信号中計器ＳＧＷは、図２１に示すように、電灯スイッチに一体型で備えられうる。すなわち、電灯をオン／オフするための電灯スイッチ３６０が備えられ、電灯スイッチ３６０の上、下、左、右のうちいずれか一側面に赤外線受信部３２０が備えられ、リモコンから入力される赤外線信号を受信するようになる。
【０１２０】
また、受動スイッチ３５０が備えられてリモコンに関わらず、受動操作によって動作信号の入力を可能とする。このとき、受動スイッチ３５０は、少なくとも１つが備えられ、多数のコンセントに連結されうる。すなわち、第１受動スイッチ３５１、第２受動スイッチ３５２は、第１メインコンセント（図示せず）、第２メインコンセント（図示せず）に連結され、それぞれ動作信号を印加する。
【０１２１】
電灯スイッチに一体型で形成された信号中計器ＳＧＷの場合、内部に有線または無線の通信部３４０を含む。このとき、通信部３４０は、電力線通信部３４３またはＲＦ通信部３４１を備え、メインコンセントＭＣとのデータ送受信が可能となる。また、赤外線受信部３２０、ＲＦ通信部３４１または電力線通信部３４３を通じて電灯のオン／オフ（ＯＮ／ＯＦＦ）制御が可能である。
【０１２２】
すなわち、電灯スイッチに一体型で形成された信号中計器ＳＧＷは、赤外線受信部３２０を通じて所定の赤外線信号が入力されると、ＲＦ通信部３４１または電力線通信部３４３を通じてメインコンセントＭＣに動作信号を印加する。
【０１２３】
このとき、電灯スイッチに一体型で形成された信号中計器ＳＧＷは、電力線通信部３４３が備えられる場合、電灯スイッチに印加される電源と、メインコンセントに連結される電源が相互連結され、電力線通信部３４３を用いたデータ送受信が可能になり、信号中継器ＳＧＷからメインコンセントへの動作信号の入力が可能である。
【０１２４】
図２２は、本発明の実施形態に係る埋め立て型コンセントの構成を示す斜視図であり、図２３は、本発明の実施形態に係る埋め立て型コンセントの構成を示す分解斜視図である。
【０１２５】
図２２に示すように、コンセントは、特に、埋め立て型コンセントは、電子機器または他のコンセントのプラグが挿入される少なくとも１つの挿入口ＣＰが形成されたコンセントアセンブリーと、供給される電源を挿入口ＣＰに連結された電子機器または他のコンセントに供給するか、電源供給が自動遮断されるようにする節電回路部が組み付けられる基板３、３−１を含む。
【０１２６】
コンセントアセンブリーは、電子機器が挿入連結される挿入口ＣＰおよびその他のケースを含む。このとき、コンセントアセンブリーは１つ以上に分離可能な構造を有する。
【０１２７】
このとき、コンセントは、基板３、３−１がコンセントアセンブリーの背面ＣＰ_ＢＫに嵌合結合および締結結合のうち、少なくともいずれか１つに結合される。また、コンセントアセンブリは、挿入口ＣＰの上、下、左、右のうち、少なくともいずれか一側面にイヤジャッキ形態の連結ジャッキ挿入が可能な挿入孔Ｈを含む。
【０１２８】
このとき、挿入孔Ｈは、図２３に示すように、信号入力部７０の連結ジャッキ／イヤジャッキが挿入可能にする孔であり、背面に装着される基板に備えられるジャッキ連結部１６０と同一の位置に形成され、信号入力部７０が連結されるように構成される。
【０１２９】
ここで、基板３、３−１は挿入口ＣＰの背面に対面され、挿入口ＣＰと連結される電源連結部材３−３を含む第１基板３と、第１基板３と連結され、上記挿入孔Ｈを貫通する連結ジャッキが挿入装着されるジャッキ連結部１６０と、外部電源の連結が可能な配線部３−３が備えられた第２基板３−１とを含む。また、連結部材３−３は、上記挿入口Ｈの電源端子に嵌合結合および締結結合のうち、少なくともいずれか１つで結合される。
【０１３０】
第１基板３は、例えば、連結部材がコンセントアセンブリーＣＰ_ＣＡＳＥの背面ＣＰ_ＢＫに備えられる配線のための孔ＣＰ_Ｈに挿入されて連結されるが、その位置は図面に限定されない。また、連結部材３−２は、コンセントアセンブリーＣＰ_ＣＡＳＥに装着時、挿入口ＣＰの端子と接触されることによって、電子機器などが挿入口ＣＰに挿入連結されると、電子機器のプラグに連結可能になり、備えられる節電回路部によって、連結された電子機器または他のコンセントへの電源を供給するか、または待機電力の遮断が可能となる。
【産業上の利用可能性】
【０１３１】
上記のように構成される本発明の実施形態に係るコンセントは、よって、上記コンセントは別途の溶接なくネジまたはボルトで締結固定されて連結が可能であり、組立／分解が容易であり、Ａ／Ｓまたは製品の量産性が向上し、製品廃棄の際、分離収去が用意であり、溶接（または半田付け）の過程において発生する有害物質による環境汚染を防止することができる。
【０１３２】
また、本発明の実施形態に係るコンセントは、電子機器または他のコンセントに連結された電子機器が使用待機状態である場合、負荷電流感知を通じてこれを判断することによって一定時間経過後、供給される電源が自動に遮断されるようにし、逆率が異なる１つ以上の電子機器が連結されても全体の負荷感知値を可変設定することができ、特性の異なる電子機器の組合時にも負荷認識および制御が可能であって、使用者の便宜性が大きく向上し、待機電力で浪費される電力消費を防止してエネルギー節約と費用が大きく節減される効果がある。
【０１３３】
また、上記コンセントは建物に埋め立てられる場合、回路の異常発生時、直接に上記電子機器または他のコンセントに電源が供給されるように転換可能であり、通信のために常に待機状態で維持されなければならないネトワークに連結された電子機器についても必要時にだけ上記電子機器に電源が供給されるようにし、使用者の不便や制約なくて不要な待機電力の消費を防止することができ、ホームネットワークシステムの使用で大幅増加する待機電力の浪費（家庭消費電力の約２５％）を画期的に減少させることができるので、エネルギー節約に大きい効果がある。
【図面の簡単な説明】
【０１３４】
【図１】本発明の実施形態に係る外装型コンセントを示す斜視図である。
【図２】本発明の実施形態に係るコンセントの締結構造を示す斜視図である。
【図３】本発明の実施形態に係るコンセントの第１実施形態および第２実施形態の構成を示す構成図である。
【図４】本発明の実施形態に係るコンセントの第１実施形態を示すブロック図である。
【図５】本発明の実施形態に係るコンセントのノイズ除去部およびスイッチ部を示す図である。
【図６】本発明の実施形態に係るコンセントの負荷電流感知部の構成を示す回路図である。
【図７】本発明の実施形態に係るコンセントの第２実施形態の構成を示す構成図である。
【図８】本発明の実施形態に係るコンセントの第２実施形態のバッテリー連結構造を示す図である。
【図９】本発明の実施形態に係るコンセントの設定スイッチを示す回路図である。
【図１０】本発明の実施形態に係るコンセントの設定スイッチの例を示す説明図である。
【図１１】本発明の実施形態に係る埋め立て型コンセントおよび信号入力部の装着構造を示す斜視図である。
【図１２】本発明の実施形態に係る埋め立て型コンセントの第１実施形態を示すブロック図である。
【図１３】本発明の実施形態に係る埋め立て型コンセントの転換スイッチ部およびノイズ除去部の構成を示す回路図である。
【図１４】本発明の実施形態に係る埋め立て型コンセントのジャッキ連結部の構成を示す構成図である。
【図１５】本発明の実施形態に係る埋め立て型コンセントの第２実施形態を示すブロック図である。
【図１６】本発明の実施形態に係る埋め立て型コンセントの第３実施形態を示すブロック図である。
【図１７】本発明の実施形態に係る埋め立て型コンセントの第３実施形態のメインコンセントの構成を示すブロック図である。
【図１８】本発明の実施形態に係る埋め立て型コンセントの第３実施形態の信号中機器の構成を示すブロック図である。
【図１９】本発明の実施形態に係る埋め立て型コンセントのＲＦ通信によるメインコンセントおよび信号中機器の構成を示す説明図である。
【図２０】本発明の実施形態に係る埋め立て型コンセントの電力線通信によるメインコンセントおよび信号中機器の構成を示す説明図である。
【図２１】本発明の実施形態に係る埋め立て型コンセントの信号中機器の実施形態を示す説明図である。
【図２２】本発明の実施形態に係る埋め立て型コンセントの構成を示す斜視図である。
【図２３】本発明の実施形態に係る埋め立て型コンセントの構成を示す分解斜視図である。
【図１】
2009507340.tif 000003
【図２】
2009507340.tif 000004
【図３】
2009507340.tif 000005
【図４】
2009507340.tif 000006
【図５】
2009507340.tif 000007
【図６】
2009507340.tif 000008
【図７】
2009507340.tif 000009
【図８】
2009507340.tif 000010
【図９】
2009507340.tif 000011
【図１０】
2009507340.tif 000012
【図１１】
2009507340.tif 000013
【図１２】
2009507340.tif 000014
【図１３】
2009507340.tif 000015
【図１４】
2009507340.tif 000016
【図１５】
2009507340.tif 000017
【図１６】
2009507340.tif 000018
【図１７】
2009507340.tif 000019
【図１８】
2009507340.tif 000020
【図１９】
2009507340.tif 000021
【図２０】
2009507340.tif 000022
【図２１】
2009507340.tif 000023
【図２２】
2009507340.tif 000024
【図２３】
2009507340.tif 000025
【手続補正書】
【提出日】平成20年3月7日(2008.3.7)
【手続補正１】
【補正対象書類名】特許請求の範囲
【補正対象項目名】請求項２４
【補正方法】変更
【補正の内容】
【請求項２４】
前記挿入口は、前記節電回路部が連結される節電型挿入口および常時電源用挿入口が少なくとも１つ備えられ、前記電源用挿入口と、前記節電型挿入口は、色相、柄および模様のうち、少なくとも１つが異なることを特徴とする、請求項１６記載の埋め立て型コンセント。
【手続補正２】
【補正対象書類名】特許請求の範囲
【補正対象項目名】請求項２６
【補正方法】変更
【補正の内容】
【請求項２６】
前記信号中継器は、赤外線信号を受信する赤外線受信部と；
ＲＦ無線通信、電力線通信、近距離通信のうち、少なくともいずれか１つの通信方式によってデータを送受信する通信部と；
前記赤外線受信部から入力される赤外線形式の動作信号をＲＦ無線通信、電力線通信、近距離通信のうち、少なくともいずれか１つの通信方式による動作信号に変換して前記通信部に印加する信号変換部と；
手動操作されて動作信号を印加する手動スイッチと；
前記赤外線受信部および手動スイッチのうち、少なくともいずれか１つによる動作信号の入出力および前記信号変換部の動作を制御する中継器制御部と；
を含むことを特徴とする、請求項２５記載の無線信号を用いた埋め立て型コンセント。
【手続補正３】
【補正対象書類名】明細書
【補正対象項目名】全文
【補正方法】変更
【補正の内容】
【発明の詳細な説明】
【技術分野】
【０００１】
本発明は、コンセントに関するものであって、特に、連結された電子機器の種類または数量に関わらず、感知される負荷電流に対応して連結された電子機器に電源を供給するか、電源が自動遮断されるようにして、上記電子機器への待機電力を遮断するコンセントに関するものである。
【背景技術】
【０００２】
一般に、家庭でＴＶ、コンピュータ、電子レンジ、オーディオ等のように使用頻度が高い電子機器の場合、常にプラグがコンセントに差し込まれている状態で用いられ、長時間未使用時にもプラグが放置される場合が多い。
【０００３】
このとき、上記のような電子機器は、用いられない場合であっても一定容量の待機電力を消費し、それによる不要な電力消費が発生する。待機電力消費を防止するためには、プラグを抜いて電源が電子機器に供給されることを遮断しなければならない。しかしながら、電子機器のプラグを使用時ごとに抜き差しすることは、非常に煩わしい作業である。
【０００４】
よって、電子機器のプラグが連結されるコンセントから電子機器に電源を供給／遮断することができるスイッチが附着されたコンセントが多く用いられている。
【０００５】
しかしながら、従来のコンセントは、スイッチを操作することにおいて、使用者がコンセントの位置に毎回移動しなければならない不便があり、また、コンセントに１つ以上の電子機器が連結された場合には、外見上または安全上の理由でコンセントがよく見えない所に位置されることが一般的であるため、スイッチを操作することにおいて多くの不便がある。
【発明の開示】
【発明が解決しようとする課題】
【０００６】
本発明は、上記問題に鑑みてなされたものであり、本発明の目的とするところは、電子機器に供給される電源の負荷電流を感知して電子機器の動作状態を判断し、それによって電源が自動に供給または遮断されるようにし、壁面に埋め立てられる場合、電源スイッチを附着して上記コンセントの回路異常または故障時に常時電源が供給されるコンセントに変更できるようにし、電子機器の待機電力による電力消費を防止することにより、家庭消費電力の１０％以上を占めている待機電力の浪費を完全に遮断することができるコンセントを提供することにある。
【０００７】
また、本発明は、コンセント内の信号伝達および電源印加のために連結される電線が別途の溶接なく締結固定されるようすることから製品の分解／組立てが容易であり、それによる製品のＡ／Ｓまたは量産性が向上し、廃棄の際に分離収去が容易なコンセントを提供することにその目的がある。
【課題を解決するための手段】
【０００８】
上記の目的を達成するための本発明に係るコンセントは、入力される電源が電子機器または他のコンセントに供給されるか遮断されるようにするスイッチ部と、連結された電子機器の種類または組合によって電源遮断のための負荷感知値と、電源が遮断されるまでの遅延時間が可変設定されるように操作される設定スイッチと、上記電子機器または他のコンセントに電源が供給されるように動作信号が入力される信号入力部と、上記電子機器または他のコンセントの動作状態による負荷信号を感知して入力する負荷電流感知部と、上記信号入力部から動作信号の入力時に上記電子機器または他のコンセントに電源が供給されるようにし、上記負荷電流感知部から入力される負荷信号によって、上記電子機器または他のコンセントに供給される電源が自動遮断されるように上記スイッチ部の動作を制御する制御部とを含む。
【０００９】
本発明に係る埋め立て型コンセントは、電子機器または他のコンセントのプラグが挿入される少なくとも１つ以上の挿入口と、電源を遮断するための負荷値を認識し、上記挿入口を通じて連結された電子機器に電源が供給または自動遮断されるようにする節電回路部と、上記節電回路部の誤動作時に上記電子機器または他のコンセントに電源が直接供給されるように変更する転換スイッチ、上記節電回路部を通じて上記電子機器または他のコンセントに電源供給時、連結ジャッキの装着状態によって上記電子機器または他のコンセントに電源が直接供給されるか、上記節電回路部を通じて電源が供給されるようにするジャッキ連結部とを含む。
【００１０】
また、本発明に係る埋め立て型コンセントは、連結された電子機器または他のコンセントに対する負荷値を認識し、上記連結された電子機器または他のコンセントに電源が供給または自動遮断されるようにする節電回路部を含むメインコンセントと、受信される赤外線形式の動作信号を所定の通信方式による動作信号に変換して、上記メインコンセントに動作信号を送信および入力する信号中継器とを含む。
【００１１】
また、本発明に係る埋め立て型コンセントは、電子機器または他のコンセントのプラグが挿入される少なくとも１つの挿入口が形成されたコンセントアセンブリと、供給される電源を上記挿入口に連結された電子機器または他のコンセントに供給するか、電源供給が自動遮断されるようにする節電回路部が組み付けられる基板とを含み、上記基板は、上記コンセントアセンブリの背面に嵌合結合および締結結合のうち、少なくともいずれか１つで結合されることを特徴とする。
【発明の効果】
【００１２】
本発明に係るコンセントは、電子機器または他のコンセントに連結された電子機器が使用待機状態である場合、負荷電流を感知して電源が自動遮断されるようにし、全負荷感知値を可変設定することができ、特性の異なる電子機器の組合せ時にも負荷認識および制御が可能であり、待機電力として浪費される電力消費を防止し、エネルギー節約と多くの費用が節減される効果がある。
【００１３】
また、上記コンセントは、ネットワークに連結された電子機器についても必要時にのみ上記電子機器に電源が供給されるようにし、不要な待機電力の消費を防止することができ、ホームネットワークシステムの使用で大幅増加する待機電力の浪費を画期的に減少させることができるので、エネルギー節約に多くの効果がある。
【発明を実施するための最良の形態】
【００１４】
以下、添付の図を参照して本発明の実施形態を説明すると、次のとおりである。図１は、本発明の実施形態に係る外装型コンセントを示す斜視図であり、図２は、本発明の実施形態に係るコンセントの締結構造を示す斜視図である。
【００１５】
本発明の実施形態に係るコンセントは、図１および図２に示すように、他のコンセントに挿入されて電源が入力されるプラグＰＬと、電子機器または他のコンセントのプラグが挿入され、入力される電源が出力される挿入口ＣＰと、リード線で連結されて電子機器または他のコンセントに電源が供給されるように遠隔地でも信号入力が可能にする信号入力部７０と、連結された電子機器または他のコンセントに連結された多数の電子機器の動作状態による負荷感知値と遅延時間とを設定する設定スイッチ８０を含んで構成される。
【００１６】
また、コンセントは、信号入力部７０および設定スイッチ８０に連結され、プラグＰＬから入力される電源が電子機器または他のコンセントに供給または遮断されるようにする節電回路部（図示せず）が組みつけられる基板３と、プラグＰＬと節電回路部が連結されるようにし、節電回路部が挿入口ＣＰと連結されるようにする電線Ｌ１、Ｌ２、Ｌ３と、電線Ｌ１、Ｌ２、Ｌ３が基板３に締結固定されるようにする締結部材２−１、２−２、２−３を含んで構成される。
【００１７】
また、コンセントは、挿入口ＣＰに電子機器または他のコンセントのプラグが挿入されて連結される場合、節電回路部と連結されて電子機器または他のコンセントに電源が出力されるようにする導電端子（図示せず）を含んで構成される。
【００１８】
このとき、電線Ｌ１、Ｌ２、Ｌ３は両端のうち、少なくともいずれか１端に締結部１−１、１−２、１−３が形成され、締結部１−１、１−２、１−３はホールまたは溝が形成される。電線Ｌ１、Ｌ２、Ｌ３は、締結部１−１、１−２、１−３のホールまたは溝に貫通される締結部材２−１、２−２、２−３を通じて基板３に締結固定されて節電回路部と連結される。
【００１９】
締結部材２−１、２−２、２−３はプラグＰＬの端子ＰＬ’と、電線Ｌ１、Ｌ２、Ｌ３と、基板３が締結固定されるようにし、別途の溶接なくても連結可能にする。このとき、締結部材２−１、２−２、２−３、２−４、２−５としては、例えば、ねじ、またはボルトが用いられる。
【００２０】
よって、コンセントは、電線Ｌ１、Ｌ２、Ｌ３または導電端子６−１、６−２が別途の溶接なくねじまたはボルトで締結固定されて連結可能である。
【００２１】
コンセントの節電回路部について説明すると、次のとおりである。図３は、本発明の実施形態に係るコンセントの第１実施形態および第２実施形態の構成を簡略に示した説明図である。
【００２２】
図３（ａ）は、本発明の実施形態に係るコンセントの第１実施形態を示している。本発明の実施形態に係るコンセントの第１実施形態は、電源が供給される電源入力端１０に節電回路部が連結され、節電回路部のスイッチ部５０が連結され、電源出力端９０に連結された電子機器または他のコンセントに電源を供給または遮断する。このとき、スイッチ部５０は節電回路部に含まれ、節電回路部によって動作され、連結された電子機器または他のコンセントの負荷感知値によって電源が供給または遮断される。
【００２３】
図３（ｂ）は、本発明の実施形態に係るコンセントの第２実施形態を示している。本発明の実施形態に係るコンセントの第２実施形態は、電源が供給される電源入力端１０にスイッチ部５０が連結され、スイッチ部５０に節電回路部が連結され、電源出力端９０に連結された電子機器または他のコンセントへの電源を供給または遮断する。このとき、スイッチ部５０によって電源遮断時、節電回路部に供給される電源が遮断されるので、節電回路部の駆動のための動作電源を供給するバッテリーが別途に備えることができる。
【００２４】
上記のような本発明の実施形態に係るコンセントの第１実施形態および第２実施形態についてより詳しく説明すると、次のとおりである。図４は本発明の実施形態に係るコンセントの第１実施形態を示すブロック図であり、図５は本発明の実施形態に係るコンセントのノイズ除去部およびスイッチ部を示す図である。
【００２５】
コンセントは、図４に示すように、入力される電源が印加される電源入力端１０と、連結された電子機器または他のコンセントに出力される電源出力端９０と、電源入力端１０と、電源出力端９０に連結されて電子機器または他のコンセントに電源が供給されるか遮断されるようにスイッチングするスイッチ部５０と、電子機器または他のコンセントに電源が供給されるように動作信号が入力される信号入力部７０と、スイッチ部５０によって供給される電源から感知される負荷信号を入力する負荷電流感知部６０と、信号入力部７０から入力される動作信号または負荷電流感知部６０から入力される負荷信号によってスイッチ部５０が動作されるように制御する制御部３０を含んで構成される。
【００２６】
また、コンセントは、電源入力端１０から入力される電源を変換させて制御部３０に駆動電源を供給する電源部２０と、制御部３０の制御命令に従ってスイッチ部５０に電源を印加し、オン／オフ（ＯＮ／ＯＦＦ）されるようにする駆動回路部４０を含んで構成される。
【００２７】
このとき、コンセントは、負荷電流感知部６０から入力される負荷信号によって電源が自動に遮断されるようにする基準値である負荷感知値を設定し、電源遮断による遅延時間が可変設定されるように操作される設定スイッチ８０をさらに含んで構成される。
【００２８】
また、コンセントは、電源出力端９０から逆に入力されるノイズを吸収、除去するノイズ除去部１００と、節電回路部によって設定されるデータが格納されるメモリ１２０と、メモリ１２０に格納されたデータをバックアップ格納するバックアップメモリ１３０と、学習設定のための学習設定部１４０、電源の供給状態を表する状態ランプ（図示せず）を含む。
【００２９】
電源部２０は、電源入力端１０から印加される交流電源を直流電源に変換する直流電源部２１と、直流電源部２１によって変換された直流電源を安定化する電源安定化部２２を含んで構成される。このとき、電源部２０は、直流電源を制御部３０または駆動回路部４０に印加して節電回路部を動作可能にする。
【００３０】
信号入力部７０は、リード線で連結され、赤外線信号を受信する赤外線モジュールまたは押し操作されることによって信号を印加するボタンを含んで構成される。このとき、信号入力部７０は、受信される赤外線信号またはボタン入力によって、電子機器または他のコンセントに電源が供給されるように制御部３０に動作信号を入力する。
【００３１】
信号入力部７０は、赤外線モジュールが備えられる場合、赤外線モジュールが広い周波数領域の赤外線信号を受信することができるように設定されることによって、多数の電子機器または既使用中である電子機器のリモコンから送出される赤外線信号の受信を通じて制御部３０に動作信号を印加するようになる。また、信号入力部７０は学習設定された特定周波数の赤外線信号のみを受信することができるように設定可能であり、このとき、リモコンから設定された信号入力のみを認識し、制御部３０に動作信号を印加するようになる。すなわち、信号入力部７０は、別途のコンセント用リモコンが備えられなくても、使用中である多数の電子機器のリモコンを用いて信号入力が可能である。
【００３２】
駆動回路部４０は、制御部から印加される制御命令に応じてスイッチ部５０に電源が印加されるか、印加されないようにしてスイッチ部５０を動作させる。ここで、駆動回路部４０は、多数のダイオードと、トランジスタと、抵抗と、キャパシタを含んで構成され、制御部３０の制御命令に応じて電源部２０からスイッチ部５０に電圧が印加されるようにし、スイッチ部５０のオン／オフ（ＯＮ／ＯＦＦ）動作を可能とする。
【００３３】
このとき、スイッチ部５０は、駆動回路部４０によって供給される電源によってオン／オフスイッチングされるリレー以外にもトランジスターのようにスイッチング動作可能な素子を用いることができる。
【００３４】
メモリ１２０は、動作信号の認識のためのデータが格納され、制御部３０によって設定された負荷感知値と、電源が遮断されるまでの遅延時間とが格納される。また、バックアップメモリ１３０は、メモリ１２０に任意に設定格納されたデータをバックアップ格納する。
【００３５】
状態ランプは、節電回路部によって電子機器または他のコンセントに供給される電源の遮断状態に対応して点灯する。また、状態ランプは制御部３０によって制御され、信号入力部７０から印加される入力信号が所定時間以上入力される場合、点滅する。
【００３６】
ノイズ除去部１００は、図５に示すように、スイッチ部５０と、電源出力端９０との間に連結され、特に、電源出力端９０の陽極に連結されるＡＣキャパシタＣ１０を含む。ノイズ除去部１００は、信号出力端９０を通じて連結された家電機器または他のコンセントから入力されるノイズを吸収および除去する。
【００３７】
負荷電流感知部６０は、スイッチ部５０がオン（ＯＮ）されることにより、電子機器または他のコンセントに電源が供給されると、供給される電源から負荷電流を感知し、電源に含まれる電源ノイズまたは過電圧を除去し、直流変換して制御部３０に電子機器または他のコンセントの動作状態を判断するための負荷信号を入力する。
【００３８】
制御部３０は、信号入力部７０から動作信号が入力されると、スイッチ部５０がオン（ＯＮ）されて電子機器または他のコンセントに電源が供給されるように制御命令を生成し、駆動回路部４０に印加する。また、制御部３０は、負荷電流感知部６０から入力される負荷信号によって電子機器または他のコンセントに連結された多数の電子機器の動作状態を判断し、供給される電源が自動供給または遮断されるように制御命令を生成して駆動回路部４０に印加する。
【００３９】
制御部３０は、所定周波数の動作信号を認識するために学習設定部１４０が操作されると、信号入力部７０を通じて入力される信号を格納し、格納された動作信号の認識が可能にする。このとき、制御部３０は、所定のボタンまたはディップスイッチで構成される学習設定部１４０が操作されると、信号入力部７０を通じて入力される動作信号の周波数をメモリ１２０に格納し、格納された周波数と同一の周波数の動作信号が入力されることを認識するようになる。すなわち、制御部３０は、信号入力部７０を通じて入力される動作信号中、設定された特定周波数の動作信号が入力される場合、電子機器または他のコンセントに電源が供給されるようにする。
【００４０】
一方、制御部３０は、信号入力部７０から印加される入力信号が所定時間以上入力される場合、連結された電子機器または他のコンセントによって消費される待機電力が一定時間測定されるように負荷電流感知部６０を制御する。このとき、制御部３０状態ランプが点滅されるように制御する。
【００４１】
制御部３０は、負荷電流感知部６０を通じて測定された待機電力の大きさに対応し、電源遮断のための負荷感知値と電源が遮断されるまでの遅延時間を自動設定する。すなわち、制御部３０は、設定スイッチによる別途の負荷値が設定されない場合、上記のように測定される待機電力の値によって、電源の自動遮断のための負荷感知値を設定する。制御部３０によって設定された負荷感知値と電源が遮断されるまでの遅延時間は、メモリ１２０に格納される。
【００４２】
制御部３０は、設定スイッチ８０の設定または待機電力感知を通じる自動設定によって、負荷電流感知部６０から入力される負荷信号を設定された負荷感知値と比較し、負荷信号が負荷感知値の以下である場合、電子機器または他のコンセントに連結された多数の電子機器の電源がオフ（ＯＦＦ）されて待機電力状態であると判断し、一定時間経過後、供給される電源が自動に遮断されるようにする。
【００４３】
このとき、制御部３０は、負荷電流感知部６０による負荷信号を判断し、設定された遅延時間経過後、スイッチ部５０の動作制御のための制御命令を生成して駆動回路部４０に伝達する。
【００４４】
図６は、本発明の実施形態に係るコンセントの負荷電流感知部の構成を示す回路図である。負荷電流感知部６０は、図６に示すように、一端Ｐ０１がスイッチ部５０と連結され、他端Ｐ０２が電源出力端９０と連結され、供給される電源から負荷電流を感知する電流感知部６１（Current  Sensor  Trans．）と、電流感知部６１から入力される交流電源に含まれる過電圧または過電流を除去する過電圧除去部６２と、過電圧除去部６２から出力される交流電源をリップル電圧（ripple  voltage）に変換する変換部６３と、リップル電圧を平滑して直流の負荷信号を制御部３０に印加する平滑部６４とを含んで構成される。また、負荷電流感知部６０は、少なくとも１つの抵抗Ｒ４を含んで電流感知部６１から感知される負荷電流が持続的に可変されるので、変化される負荷電流を迅速に認識できる放電部６５をさらに含んで構成される。
【００４５】
過電圧除去部６２は、平滑部６４を通じて直流の負荷信号が制御部３０に入力される場合、制御部３０による負荷信号の判断による認識誤差を減少させるために、電源に含まれるノイズまたは瞬間過電圧を吸収、除去する。このとき、過電圧除去部６２は、１つ以上のダイオードと、１つ以上のキャパシタと、１つ以上の抵抗を含んで構成される。
【００４６】
過電圧除去部６２は、第１ダイオードＺＤ１と、第２ダイオードＺＤ２が相互逆方向に直列連結され、第１キャパシタＣ１が第１および第２ダイオードＺＤ１、ＺＤ２に並列連結される。また、第１抵抗Ｒ１は第２ダイオードの陽極（Anode；アノード）と一端が連結され、他端は第１キャパシタＣ１に連結される。
【００４７】
ここで、第１ダイオードＺＤ１および第２ダイオードＺＤ２は、マイクロ秒（micro  sec）以下で瞬間的に発生される瞬間過電圧を吸収除去する。このとき、第１ダイオードＺＤ１および第２ダイオードＺＤ２は、約１８Ｖ以上の瞬間過電圧を除去することができ、例えば、ツェナーダイオードが用いられる。第１キャパシタＣ１および第１抵抗Ｒ１は、０．１ミリ秒（mm  sec）単位で発生される瞬間過電圧を吸収除去する。
【００４８】
ここで、電子機器の力率は、電子機器の種類または製造社によって異なる値を示すようになり、異なる力率を有する１つ以上の電子機器がコンセントに連結される場合、各電子機器の力率差によって瞬間過電圧が発生されうる。
【００４９】
このとき、過電圧除去部６２は、力率差で発生される瞬間過電圧を吸収除去することによって、多数の異なる電子機器が複合的に用いられる場合にも最小限の誤差範囲内で負荷電流値の認識が可能にする。
【００５０】
変換部６３は、ダイオードと、１つ以上の抵抗で構成され、過電圧除去部６２から出力される交流電源をリップル電圧に変換する。特に、変換部６３は、第３ダイオードＤ１と、抵抗値を可変設定して印加される電圧値の調節が可能な可変抵抗Ｒ２と、第３抵抗Ｒ３で構成される。第３ダイオードＤ１は、陽極（Anode；アノード）が過電圧除去部６２と連結され、陰極（Cathode；カソード）が可変抵抗Ｒ２に連結される。このとき、第３ダイオードＤ１は、例えば、他のダイオードに比して電圧降下が少なくて直線性の良いゲルマニウムダイオードが用いられる。
【００５１】
平滑部６４は、キャパシタＣ２の充放電特性を用いて変換部６３によってリップル変換された電源を平滑して直流の負荷信号を制御部３０に印加する。
【００５２】
よって、負荷電流感知部６０は、負荷電流を感知し、感知された負荷電流を安定する直流の負荷信号に変換して制御部３０に供給する。
【００５３】
本発明の実施形態に係るコンセントの節電回路部の第２実施形態を説明すると、次のとおりである。図７は、本発明の実施形態に係るコンセントの第２実施形態の構成を示すブロク図であり、図８は、本発明の実施形態に係るコンセントの第２実施形態のバッテリー連結構造を示す図である。
【００５４】
本発明の実施形態に係るコンセントの第２実施形態は、コンセントが図７に示すように、電源入力端１０と、電源出力端９０と、スイッチ部５０と、信号入力部７０と、負荷電流感知部６０と、制御部３０と、電源部２０と、駆動回路部４０と、ノイズ除去部１００を含む。また、コンセントは源遮断時、制御部３０に電源を供給するバッテリー１１０と、メモリ１２０と、学習設定部１４０、状態ランプをさらに含む。
【００５５】
コンセントの第２実施形態は、上述したコンセントの第１実施形態と同一の構成につき、同一名称、同一符号が用いられ、それによる別途の説明は省略する。
【００５６】
スイッチ部５０は、電源入力端１０と、電源出力端９０との間に連結され、挿入口に連結された家電機器または他の電子機器に供給される電源を制御部３０の制御命令に応じて供給するか、自動遮断するようになる。このとき、スイッチ部５０は、電源入力端１０と、電源部２０との間に連結され、電子機器または他のコンセントに供給される電源が遮断されると、電源部２０に供給される電源も遮断させる。
【００５７】
バッテリー１１０は、図８に示すように、制御部３０の入力端子と出力端子の両端に連結され、スイッチ部５０によって電源遮断時、制御部３０に動作電源を供給する。また、バッテリー１１０は、メモリ１２０に任意格納されるデータの損失を防止させる。このとき、バッテリー１１０は、両端にダイオードとキャパシタが連結されて制御部３０に連結され、充電可能なバッテリーが用いられうる。
【００５８】
図９は、本発明の実施形態に係るコンセントの設定スイッチを示す回路図である。
【００５９】
上述したコンセントの第１実施形態および第２実施形態において、設定スイッチ８０は、図９に示すように操作されたスイッチの位置によって、電源が自動に遮断されるように負荷信号を比較判断するための負荷感知値と、電源が遮断されるまでの遅延時間を可変設定することができ、ディップスイッチ（Dip-Switch）が用いられる。
【００６０】
このとき、設定スイッチ８０は、コンセントに連結される電子機器または他のコンセントに連結された多数の電子機器の種類により使用者によって選択的に設定可能であり、設定によって負荷感知値と遅延時間とが決定される。また、設定スイッチ８０は、タイマー設定が可能である。例えば、別途の信号入力または判断がなくても一定時間経過後、電源が自動遮断されるように設定されうる。
【００６１】
設定スイッチ８０は、抵抗を通じて制御部３０に連結され、一端Ｐ０３が電源部２０と連結されて操作されたスイッチの位置によって、電源部２０から供給される電源がそれぞれ抵抗値の異なる第５抵抗Ｒ５と第６抵抗Ｒ６に印加される。よって、同一のスイッチの位置でも制御部３０に異なる信号を入力することができる。
【００６２】
例えば、設定スイッチ８０の第１スイッチＳＷ１がオン（ＯＮ）されると、電源部２０から第５抵抗Ｒ５に電圧が印加され、それによる第１設定信号が制御部３０に入力され、第２スイッチＳＷ２がオン（ＯＮ）されると、第６抵抗Ｒ６に電圧が印加され、第２設定信号が制御部３０に入力される。
【００６３】
以下、設定スイッチ８０を用いた負荷感知値の設定例は、次のとおりである。図１０は、本発明の実施形態に係るコンセントの設定スイッチの例を示す説明図である。
【００６４】
図１０に示すように、設定スイッチ８０は、第１スイッチＳＷ１がオン（ＯＮ）、第２スイッチＳＷ２がオフ（ＯＦＦ）に設定されると、電源の自動遮断のための基準値が負荷感知値の電力値が１０Ｗに設定される。また、設定スイッチ８０の第１および第２スイッチＳＷ１、ＳＷ２がオン（ＯＮ）に設定されると、待機電力遮断のための基準値が２０Ｗに設定される。
【００６５】
設定スイッチ８０の第１スイッチＳＷ１および第２スイッチＳＷ２がオフ（ＯＦＦ）に設定される場合には、待機電力遮断のための基準値が３０Ｗに設定され、設定スイッチ８０の第１スイッチＳＷ１がオフ（ＯＦＦ）され、第２スイッチＳＷ２がオン（ＯＮ）に設定される場合には４０Ｗに設定される。
【００６６】
このとき、上記のような数値は１つの例だけであり、連結される電子機器および他のコンセントの種類によって可変されうる。
【００６７】
コンセントは、設定スイッチ８０が操作されることによって、ＴＶのような電子機器の電源がオフ（ＯＦＦ）されて待機電力状態になると、負荷電流感知部６０によって感知され、入力される負荷信号によって制御部３０がＴＶと電子機器の動作状態を判断し、設定された負荷感知値によってＴＶと電子機器に供給される電源が自動遮断される。
【００６８】
ここで、設定スイッチ８０の第１スイッチＳＷ１および第２スイッチＳＷ２のオン／オフ（ＯＮ／ＯＦＦ）設定によって、待機電力状態または正常動作などの電子機器の動作状態を判断するための基準値、すなわち、負荷感知値が可変設定され、電源が自動に遮断されるまでの遅延時間も同様に可変設定されうる。
【００６９】
よって、コンセントは電子機器または他のコンセントが電源オフされ、待機電力状態である場合、負荷電流を感知し、電子機器または他のコンセントに連結された多数の電子機器の動作状態を判断し、一定時間経過後、供給される電源が自動に遮断される。
【００７０】
本発明の実施形態に係るコンセントに関する他の実施形態を、図を参照して説明すると、次のとおりである。図１１は、本発明の実施形態に係る埋め立て型コンセントおよび信号入力部の構成を示す斜視図である。
【００７１】
埋め立て型コンセント(以下、「コンセント」とよぶ場合もある。)は、建物屋内の壁に埋め立てられて設置されうる。
【００７２】
コンセントは、図１１（ａ）〜図１１（ｄ）に示すように、建物に埋め立てられる場合、１つ以上の電子機器または他のコンセントに連結可能な少なくとも１つ以上の挿入口ＣＰ０１〜ＣＰ０３が前面に備えられ、節電回路部が挿入部ＣＰ０１〜ＣＰ０３の背面に内蔵され連結された電子機器または他のコンセントへの電源を供給または遮断する。
【００７３】
このとき、コンセントは、挿入口ＣＰ０１〜ＣＰ０３が１つ以上備えられる場合、少なくとも１つ以上の挿入口が節電回路部と連結されるように設置される。
【００７４】
ここで、挿入口ＣＰ０１〜ＣＰ０３は、多数の挿入口が備えられる場合、節電回路部が連結される節電型挿入口が少なくとも１つ備えられ、また、常時電源用挿入口が少なくとも１つ備えられ、使用者によって選択的使用が可能となる。このとき、電源用挿入口と、節電型挿入口は、例えば、色相、柄および模様のうち、少なくとも１つを異なるようにし、電源用挿入口と節電型挿入口の分けが容易にする。
【００７５】
コンセントは、電源が節電回路部を通じて電子機器または他のコンセントに供給されるようにするか、節電回路部を通じずに直接に電子機器または他のコンセントに供給されるようにする転換する転換スイッチ１５０を含んで構成される。また、節電回路部を通じて電子機器または他のコンセントに電源供給するとき、連結ジャッキの装着状態によって、電子機器または他のコンセントに電源が直接供給されるか、節電回路部を通じて電源が供給されるようにするジャッキ連結部１６０をさらに含む。
【００７６】
また、コンセントは、節電回路部によって電子機器または他のコンセントに供給される電源の遮断状態に対応し、点灯される状態ランプ１７０をさらに含む。
【００７７】
このとき、ジャッキ連結部１６０は、図１１（ａ）および図１１（ｂ）に示すように、挿入口ＣＰ０１〜ＣＰ０３の上、下、左、右のうち、少なくともいずれか一側に備えられた挿入孔Ｈを貫通する連結ジャッキが挿入連結できるように構成される。
【００７８】
また、コンセントは、前面のケースに脱着され、リード線で連結されて遠隔地でもコンセントから連結された電子機器または他のコンセントに電源が供給されるように動作信号を印加する信号入力部７０と、連結される電子機器または他のコンセントによって負荷感知値と、遅延時間を設定する設定スイッチ８０を含んで構成される。
【００７９】
信号入力部７０は、押し操作によって動作信号を印加するボタンまたは受信される赤外線信号によって動作信号を印加する赤外線モジュールを含んで構成される。このとき、信号入力部７０は、ジャッキ連結部１６０に挿入可能な連結ジャッキを含み、ジャッキ連結部１６０に脱着できるように構成される。
【００８０】
ここで、信号入力部７０は、ジャッキ連結部１６０に連結ジャッキが挿入されて装着される場合、それによる装着信号が節電回路部に印加され、所定の動作信号が入力されるようになる。なお、信号入力部７０は、脱着可能な形態に限られず、コンセントに固定され所定の空間に受納可能な形態で構成されてもよい。
【００８１】
転換スイッチ１５０は、図１１（ｃ）に示すように、挿入口ＣＰ０１〜ＣＰ０３の上、下、左、右のうちいずれか一側に備えることができ、その位置は図に限定されない。このとき、転換スイッチ１５０はスイッチ部５０に含むことができる。また、コンセントは転換スイッチ１５０が前面に配置されるか、前面ケース脱着時、操作できるように内部に備えられうる。
【００８２】
特に、転換スイッチ１５０は、節電回路部の以上発生または故障時、節電回路部を通じなく、挿入口ＣＰ０１〜ＣＰ０３に連結された電子機器または他のコンセントに直接に電源が供給されるようにし、電源供給が可能なコンセントとして動作するように転換する。
【００８３】
図１２は、本発明の実施形態に係る埋め立て型コンセントの第１実施形態を示すブロック図である。
【００８４】
屋内壁に埋め立てられるコンセントは、図１２に示すように、電源入力端１０と、電源出力端９０と、上記設定スイッチ８０と、信号入力部７０と、スイッチ部５０と、駆動回路部４０と、負荷電流感知部６０と、制御部３０とを含んで構成される。また、ノイズ除去部１００と、メモリ１２０と、バックアップメモリ１３０と、学習設定部１４０と、転換スイッチ１５０と、ジャッキ連結部１６０と、状態ランプ１７０とをさらに含む。
【００８５】
本発明の実施形態に係る埋め立て型コンセントは、上述したコンセントの第１実施形態および第２実施形態と同一の構成について同一名称、同一符号が用いられ、それに関する詳細な説明は、下記では省略する。
【００８６】
また、コンセントは、信号入力部７０以外に所定の通信手段によってデータを送受信することにより、制御部３０に動作信号を印加する少なくとも１つの通信部が含まれる。
【００８７】
転換スイッチ１５０は、節電回路部に異常が発生したとき、直接に電子機器または他のコンセントに電源を供給させる役目を果たす。
【００８８】
このとき、制御部３０は、ジャッキ連結部１６０の装着状態を感知し、信号入力部７０がジャッキ連結部１６０に装着されているときには、節電回路部を通じて電子機器または他のコンセントに電源が供給されるか自動遮断されるように制御し、未装着時には、電子機器または他のコンセントに電源が直接供給されるように制御する。すなわち、制御部３０は、連結された電子機器またはコンセントに電源が供給される中で、ジャッキ連結部１６０の装着状態によって電源が供給されるか、または自動遮断されるようにする。
【００８９】
制御部３０は、電源の供給および遮断を制御する動作は上述した制御部３０と同様であるので、以下では、説明を省略する。
【００９０】
このとき、コンセントは入力される電源に含まれるデータを受信し、制御部３０によって読み取り可能に変換する電力線通信部（図示せず）をさらに含むことができる。また、コンセントは、所定帯域の周波数信号を通じる無線データ送受信が可能にするＲＦ通信部（図示せず）をさらに含むことができる。
【００９１】
電力線通信部は、コンセントに内蔵または外付けで備えられることができ、電源線を通じて伝送されるデータを感知して受信し、データを送出することができる。特に、電力線ネットワーク上に連結されたサーバから電源供給／遮断のデータが受信される場合、これを変換して制御部３０に印加する。ここで、制御部３０は、電力線通信部から入力されるデータを読み取って電源供給によるデータである場合、連結された電子機器に電源が供給／遮断されるようにスイッチ部５０の動作を制御する。
【００９２】
ＲＦ通信部は、ＲＦ信号を受信し、ＲＦ信号が制御部３０によって読み取り可能に制御部３０に動作信号を印加する。ここで、制御部３０は、ＲＦ通信部から印加される動作信号によってスイッチ部５０を制御する。
【００９３】
ここで、転換スイッチ１５０の構成をより詳細に説明すると、次のとおりである。図１３は、本発明の実施形態に係る埋め立て型コンセントの転換スイッチ部およびノイズ除去部の構成を示す回路図である。
【００９４】
図１３に示すように、転換スイッチ１５０は、設定によって、電源入力端１０から入力される電源が節電回路部に印加されるようにするか、電源出力端９０に直接印加されるようにする。
【００９５】
ここで、転換スイッチ１５０はオン（ＯＮ）される場合、ＰＳ１１およびＰＳ１２端に連結され、節電回路部に電源が印加されるようにし、信号入力部７０および負荷電流感知部６０の入力によって電子機器または他のコンセントに電源が供給されるか、自動に遮断されるようにする。また、転換スイッチ１５０はオフ（ＯＦＦ）される場合、ＰＳ２１、ＰＳ２２端に連結され、電源が電源出力端９０に直接印加されるようにする。
【００９６】
電源が電源出力端９０に直接印加されるように転換スイッチ１５０が設定された場合、すなわち、オフ（ＯＦＦ）された場合には、節電回路部の動作要否と関わらず電源が電源出力端９０に直接印加される。
【００９７】
よって、本発明の実施形態に係るコンセントは、節電回路部に異常が発生したときには、電子機器または他のコンセントに電源が直接供給されるように転換可能であり、コンセントが節電機能を行うようにするか常時電源が供給されるように選択的使用が可能である。また、本発明の実施形態に係るコンセントは、ＲＦ通信部および電力線通信部のうち、少なくとも１つの通信部が備えられ、電源供給のデータが受信されると、連結された電子機器に電源を自動供給／遮断するなどの制御が可能である。
【００９８】
図１４は、本発明の実施形態に係る埋め立て型コンセントのジャッキ連結部の構成を示す構成図である。
【００９９】
このとき、ジャッキ連結部１６０は、図１４に示すように、イヤジャッキ（earjack）の連結が可能に構成され、イヤジャッキまたは連結ジャッキが備えられる信号入力部７０が挿入されて装着される場合、内部に備えられる信号端子間の接触によって信号を制御部３０に印加する。すなわち、ジャッキ連結部１６０は信号入力部７０未装着時、２−１と２端子とが接触され、１−１と１とが接触され、コンセントが常時電源用として用いられるように制御部３０によってスイッチ部５０に信号が印加され、信号入力部７０装着時、２−１と２端子との接触が解除され、１−１と１との接触が解除されて節電用コンセントとして使用可能となる。
【０１００】
図１５は、本発明の実施形態に係る埋め立て型コンセントの第２実施形態を示すブロック図である。
【０１０１】
図１５に示すように、埋め立て型コンセントの第２実施形態は電源入力端１０と、電源出力端９０と、設定スイッチ８０と、信号入力部７０と、スイッチ部５０と、駆動回路部４０と、負荷電流感知部６０と、制御部３０とを含んで構成される。また、ノイズ除去部１００と、バッテリー１１０と、メモリ１２０と、学習設定部１４０と、ジャッキ連結部１６０と、状態ランプ１７０とを含む。
【０１０２】
本発明の実施形態に係る埋め立て型コンセントでは、上述したコンセントの第１実施形態および第２実施形態と、埋め立て型コンセントの第１実施形態と同一の構成については同一名称、同一符号が用いる。よって、以下では、上記に関する詳細な説明は、省略する。
【０１０３】
ここで、スイッチ部５０は、電源入力端１０と、電源出力端９０との間に連結され、挿入口に連結された家電機器または他の電子機器に供給される電源を制御部３０の制御命令に応じて供給するか、自動遮断する。このとき、スイッチ部５０は、電源入力端１０および転換スイッチ１５０と電源部２０との間に連結され、電子機器または他のコンセントに供給される電源が遮断されると、電源部２０に供給される電源も遮断する。
【０１０４】
ここで、スイッチ部５０が電源入力端１０と電源部２０との間に連結される場合、バッテリー１１０は、電源入力端１０を通じて印加される電源によって充填され、スイッチ部５０によって電源遮断時、制御部３０に動作電源を供給する。また、バッテリー１１０は、メモリ１２０に任意に設定格納されるデータの損失を防止するようになる。
【０１０５】
図１６は、本発明の実施形態に係る埋め立て型コンセントの第３実施形態を示す構成図である。
【０１０６】
上述した埋め立て型コンセントは、図１６に示すように、例えば、家庭または所定建物の内壁に埋め立てられ、連結される電子機器の待機電力を遮断する。また、コンセントは、外部から信号が変換されて入力される信号中継器ＳＧＷが別途に備えていてもよい。
【０１０７】
このとき、コンセントは、少なくとも１つの通信方式によるデータ通信が可能に通信部が備えられ、これは前述した信号入力部７０のように、コンセント動作信号を入力するようになり、信号中継器ＳＧＷから受信される信号をコンセントＭＣ（以下、メインコンセント）に印加し、電源が供給されるか遮断されるようにする。
【０１０８】
コンセントＭＣと信号中継器ＳＧＷが所定の通信方式によって有線／無線で連結され、リモコンＲＣＭから入力される動作信号を信号中継器ＳＧＷが変換してコンセントに印加する。
【０１０９】
図１７は、本発明の実施形態に係る埋め立て型コンセントの第３実施形態のメインコンセント構成を示すブロック図であり、図１８は、本発明の実施形態に係る埋め立て型コンセントの第３実施形態の信号中継器の構成を示すブロック図である。
【０１１０】
メインコンセントＭＣは、図１７に示すように、制御部３０と少なくとも１つの通信方式によるデータ受信が可能にする通信モジュールを含む通信部７０が備えられる。このとき、通信部７０は、上述した信号入力部のように動作信号を制御部３０に印加するので、同一符号を用いた。
【０１１１】
ここで、メインコンセントＭＣは、節電回路部を含むが、上述したコンセントの実施形態と同一の構成については同一符号を用い、それに関する別途の説明は省略する。
【０１１２】
信号中継器ＳＧＷは、図１８に示すように、リモコンＲＭＣから送信される赤外線信号を受信する赤外線受信部３２０と、信号を変換する信号変換部３３０と、少なくとも１つの通信モジュールを含む通信部３４０、信号変換部３３０によって入出力される信号が異なる通信方式に変換されるように制御する中継器制御部３１０と、手動操作によって動作信号が入力される手動スイッチ３５０とを含む。
【０１１３】
このとき、信号中継器ＳＧＷおよびメインコンセントＭＣは、相互信号の送受信が可能に同一の通信モジュールが備えられる。上記のような多数の通信モジュール中、ＲＦ通信部と、電力線通信部とが備えられる場合を例として説明すると、次のとおりである。
【０１１４】
図１９は、本発明の実施形態に係る埋め立て型コンセントのＲＦ通信によるメインコンセントおよび信号中継器の構成を示す説明図であり、図２０は、本発明の実施形態に係る埋め立て型コンセントの電力線通信によるメインコンセントおよび信号中継器の構成を示す説明図である。
【０１１５】
図１９に示すように、メインコンセントＭＣおよび信号中継器ＳＧＷは、それぞれＲＦ通信部７１、３４１を含む。信号中継器ＳＧＷはリモコンから送出された信号を赤外線受信部３２０を通じて受信し、受信された信号は中継器制御部３１０によって信号変換部３３０に印加される。信号変換部３３０は、赤外線形式の信号をＲＦ無線信号に変換した後、所定周波数帯域へ送出する。このとき、メインコンセントＭＣは、備えられたＲＦ通信部を通じて信号中継器から送出されたデータを受信して制御部３０に印加し、動作信号が入力されるようにする。
【０１１６】
図２０に示すように、メインコンセントＭＣおよび信号中継器ＳＧＷに電力線通信部が備えられる場合には、信号中継器ＳＧＷは、リモコンＲＭＣから送出された信号を赤外線受信部３２０を通じて受信し、受信された信号は中継器制御部３１０によって信号変換部３３０に印加される。信号変換部３３０は赤外線形式の信号を電力線通信による信号に変換する。
【０１１７】
このとき、変換された信号は電力線通信部を通じ、電源線ＰＬを通じてメインコンセントＭＣに印加される。メインコンセントＭＣは、電力線通信部が電源線ＰＬを通じて受信された信号を変換して制御部３０に印加することによって動作信号が入力されるようにする。
【０１１８】
図２１は、本発明の実施形態に係る埋め立て型コンセントの信号中継器の実施形態を示す説明図である。
【０１１９】
上記のように、電力線通信またはＲＦ無線通信を用いてメインコンセントＭＣと、信号中継器ＳＧＷとの間に信号が送受信される場合、信号中継器ＳＧＷは、図２１に示すように、電灯スイッチに一体型で備えられうる。すなわち、電灯をオン／オフするための電灯スイッチ３６０が備えられ、電灯スイッチ３６０の上、下、左、右のうちいずれか一側面に赤外線受信部３２０が備えられ、リモコンから入力される赤外線信号を受信するようになる。
【０１２０】
また、手動スイッチ３５０が備えられてリモコンに関わらず、手動操作によって動作信号の入力を可能とする。このとき、手動スイッチ３５０は、少なくとも１つが備えられ、多数のコンセントに連結されうる。すなわち、第１手動スイッチ３５１、第２手動スイッチ３５２は、第１メインコンセント（図示せず）、第２メインコンセント（図示せず）にそれぞれ連結され、動作信号を印加するようになる。
【０１２１】
電灯スイッチに一体型で形成された信号中継器ＳＧＷの場合、内部に有線または無線の通信部３４０を含む。このとき、通信部３４０は、電力線通信部３４３またはＲＦ通信部３４１を備え、メインコンセントＭＣとのデータ送受信が可能となる。また、赤外線受信部３２０、ＲＦ通信部３４１または電力線通信部３４３を通じて電灯のオン／オフ（ＯＮ／ＯＦＦ）制御が可能である。
【０１２２】
すなわち、電灯スイッチに一体型で形成された信号中継器ＳＧＷは、赤外線受信部３２０を通じて所定の赤外線信号が入力されると、ＲＦ通信部３４１または電力線通信部３４３を通じてメインコンセントＭＣに動作信号を印加する。
【０１２３】
このとき、電灯スイッチに一体型で形成された信号中継器ＳＧＷは、電力線通信部３４３が備えられる場合、電灯スイッチに印加される電源と、メインコンセントに連結される電源が相互連結され、電力線通信部３４３を用いたデータ送受信が可能になり、信号中継器ＳＧＷからメインコンセントへの動作信号の入力が可能である。
【０１２４】
図２２は、本発明の実施形態に係る埋め立て型コンセントの構成を示す斜視図であり、図２３は、本発明の実施形態に係る埋め立て型コンセントの構成を示す分解斜視図である。
【０１２５】
図２２に示すように、コンセントは、特に、埋め立て型コンセントは、電子機器または他のコンセントのプラグが挿入される少なくとも１つの挿入口ＣＰが形成されたコンセントアセンブリーと、供給される電源を挿入口ＣＰに連結された電子機器または他のコンセントに供給するか、電源供給が自動遮断されるようにする節電回路部が組み付けられる基板３、３−１を含む。
【０１２６】
コンセントアセンブリーは、電子機器が挿入連結される挿入口ＣＰおよびその他のケースを含む。このとき、コンセントアセンブリーは１つ以上に分離可能な構造を有する。
【０１２７】
このとき、コンセントは、基板３、３−１がコンセントアセンブリーの背面ＣＰ_ＢＫに嵌合結合および締結結合のうち、少なくともいずれか１つに結合される。また、コンセントアセンブリは、挿入口ＣＰの上、下、左、右のうち、少なくともいずれか一側面にイヤジャッキ形態の連結ジャッキ挿入が可能な挿入孔Ｈを含む。
【０１２８】
このとき、挿入孔Ｈは、図２３に示すように、信号入力部７０の連結ジャッキ／イヤジャッキが挿入可能にする孔であり、背面に装着される基板に備えられるジャッキ連結部１６０と同一の位置に形成され、信号入力部７０が連結されるように構成される。
【０１２９】
ここで、基板３、３−１は挿入口ＣＰの背面に対面され、挿入口ＣＰと連結される電源連結部材３−３を含む第１基板３と、第１基板３と連結され、上記挿入孔Ｈを貫通する連結ジャッキが挿入装着されるジャッキ連結部１６０と、外部電源の連結が可能な配線部が備えられた第２基板３−１とを含む。また、連結部材３−３は、上記挿入口Ｈの電源端子に嵌合結合および締結結合のうち、少なくともいずれか１つで結合される。
【０１３０】
第１基板３は、例えば、連結部材がコンセントアセンブリーＣＰ_ＣＡＳＥの背面ＣＰ_ＢＫに備えられる配線のための孔ＣＰ_Ｈに挿入されて連結されるが、その位置は図面に限定されない。また、連結部材３−２は、コンセントアセンブリーＣＰ_ＣＡＳＥに装着時、挿入口ＣＰの端子と接触されることによって、電子機器などが挿入口ＣＰに挿入連結されると、電子機器のプラグに連結可能になり、備えられる節電回路部によって、連結された電子機器または他のコンセントへの電源を供給するか、または待機電力の遮断が可能となる。
【産業上の利用可能性】
【０１３１】
上記のように構成される本発明の実施形態に係るコンセントは、よって、上記コンセントは別途の溶接なくネジまたはボルトで締結固定されて連結が可能であり、組立／分解が容易であり、Ａ／Ｓまたは製品の量産性が向上し、製品廃棄の際、分離収去が用意であり、溶接（または半田付け）の過程において発生する有害物質による環境汚染を防止することができる。
【０１３２】
また、本発明の実施形態に係るコンセントは、電子機器または他のコンセントに連結された電子機器が使用待機状態である場合、負荷電流感知を通じてこれを判断することによって一定時間経過後、供給される電源が自動に遮断されるようにし、力率が異なる１つ以上の電子機器が連結されても全体の負荷感知値を可変設定することができ、特性の異なる電子機器の組合時にも負荷認識および制御が可能であって、使用者の便宜性が大きく向上し、待機電力で浪費される電力消費を防止してエネルギー節約と費用が大きく節減される効果がある。
【０１３３】
また、上記コンセントは建物に埋め立てられる場合、回路の異常発生時、直接に上記電子機器または他のコンセントに電源が供給されるように転換可能であり、通信のために常に待機状態で維持されなければならないネトワークに連結された電子機器についても必要時にだけ上記電子機器に電源が供給されるようにし、使用者の不便や制約なくて不要な待機電力の消費を防止することができ、ホームネットワークシステムの使用で大幅増加する待機電力の浪費（家庭消費電力の約２５％）を画期的に減少させることができるので、エネルギー節約に大きい効果がある。
【図面の簡単な説明】
【０１３４】
【図１】本発明の実施形態に係る外装型コンセントを示す斜視図である。
【図２】本発明の実施形態に係るコンセントの締結構造を示す斜視図である。
【図３】本発明の実施形態に係るコンセントの第１実施形態および第２実施形態の構成を示す構成図である。
【図４】本発明の実施形態に係るコンセントの第１実施形態を示すブロック図である。
【図５】本発明の実施形態に係るコンセントのノイズ除去部およびスイッチ部を示す図である。
【図６】本発明の実施形態に係るコンセントの負荷電流感知部の構成を示す回路図である。
【図７】本発明の実施形態に係るコンセントの第２実施形態の構成を示す構成図である。
【図８】本発明の実施形態に係るコンセントの第２実施形態のバッテリー連結構造を示す図である。
【図９】本発明の実施形態に係るコンセントの設定スイッチを示す回路図である。
【図１０】本発明の実施形態に係るコンセントの設定スイッチの例を示す説明図である。
【図１１】本発明の実施形態に係る埋め立て型コンセントおよび信号入力部の装着構造を示す斜視図である。
【図１２】本発明の実施形態に係る埋め立て型コンセントの第１実施形態を示すブロック図である。
【図１３】本発明の実施形態に係る埋め立て型コンセントの転換スイッチ部およびノイズ除去部の構成を示す回路図である。
【図１４】本発明の実施形態に係る埋め立て型コンセントのジャッキ連結部の構成を示す構成図である。
【図１５】本発明の実施形態に係る埋め立て型コンセントの第２実施形態を示すブロック図である。
【図１６】本発明の実施形態に係る埋め立て型コンセントの第３実施形態を示すブロック図である。
【図１７】本発明の実施形態に係る埋め立て型コンセントの第３実施形態のメインコンセントの構成を示すブロック図である。
【図１８】本発明の実施形態に係る埋め立て型コンセントの第３実施形態の信号中継器の構成を示すブロック図である。
【図１９】本発明の実施形態に係る埋め立て型コンセントのＲＦ通信によるメインコンセントおよび信号中継器の構成を示す説明図である。
【図２０】本発明の実施形態に係る埋め立て型コンセントの電力線通信によるメインコンセントおよび信号中継器の構成を示す説明図である。
【図２１】本発明の実施形態に係る埋め立て型コンセントの信号中継器の実施形態を示す説明図である。
【図２２】本発明の実施形態に係る埋め立て型コンセントの構成を示す斜視図である。
【図２３】本発明の実施形態に係る埋め立て型コンセントの構成を示す分解斜視図である。
【国際調査報告】
2009507340.tif 000026
2009507340.tif 000027